(57)【特許請求の範囲】
【請求項１】
ワイヤレスノードにおいて、
第１のしきい値を記憶するようにと、
観測された支援情報から第２のしきい値を復元するようにと、
相関しきい値として前記第１のしきい値および前記第２のしきい値のうちの１つを選択するようにと、
相関ルールに基づいて相関メトリックを計算することと、前記計算した相関メトリックと前記相関しきい値とを比較することとにより、遠隔ワイヤレスノードからの前記観測された支援情報と情報を相関させるようにと、ここで、前記情報は、前記ワイヤレスノードに対するユーザモデルを含み、
前記相関に少なくとも部分的に基づいて、前記遠隔ワイヤレスノードが、ワイヤレスリンクを確立すべきか否かを決定するように構成されている処理システムを具備するワイヤレスノード。
【請求項２】
前記処理システムは、前記遠隔ワイヤレスノードが、前記ワイヤレスノードとの前記ワイヤレスリンクを確立すべきか否かを決定するようにさらに構成されている請求項１記載のワイヤレスノード。
【請求項３】
前記情報は、別の遠隔ワイヤレスノードからの観測された支援情報を含み、前記処理システムは、前記遠隔ワイヤレスノードが、前記別の遠隔ワイヤレスノードとの前記ワイヤレスリンクを確立すべきか否かを決定するようにさらに構成されている請求項１記載のワイヤレスノード。
【請求項４】
前記処理システムは、別の遠隔ワイヤレスノードからの観測された支援情報と前記情報を相関させるようにさらに構成されており、前記処理システムは、前記別の遠隔ワイヤレスノードからの観測された支援情報と前記情報との前記相関に少なくとも部分的に基づいて、前記遠隔ワイヤレスノードが、前記別の遠隔ワイヤレスノードとの前記ワイヤレスリンクを確立すべきか否かを決定するようにさらに構成されている請求項１記載のワイヤレスノード。
【請求項５】
前記処理システムは、前記情報が、前記別の遠隔ワイヤレスノードからの観測された支援情報と相関している場合に、前記遠隔ワイヤレスノードからの観測された支援情報と、前記別の遠隔ワイヤレスノードからの観測された支援情報とを相関させるようにさらに構成されており、前記処理システムは、前記遠隔ワイヤレスノードからの観測された支援情報と、前記別の遠隔ワイヤレスノードからの観測された支援情報との相関に少なくとも部分的に基づいて、前記遠隔ワイヤレスノードが、前記別の遠隔ワイヤレスノードとの前記ワイヤレスリンクを確立すべきか否かを決定するようにさらに構成されている請求項４記載のワイヤレスノード。
【請求項６】
前記処理システムは、前記遠隔ワイヤレスノードと別の遠隔ワイヤレスノードとの間のワイヤレスリンクをサポートするようにさらに構成されている請求項１記載のワイヤレスノード。
【請求項７】
前記処理システムは、前記遠隔ワイヤレスノードと別の遠隔ワイヤレスノードとにシグナリングして、前記遠隔ワイヤレスノードと、前記別の遠隔ワイヤレスノードとの間の前記ワイヤレスリンクを確立するようにさらに構成されている請求項１記載のワイヤレスノード。
【請求項８】
前記処理システムは、前記遠隔ワイヤレスノードによりブロードキャストされた基準から前記支援情報を復元するようにさらに構成されている請求項１記載のワイヤレスノード。
【請求項９】
前記支援情報は、前記遠隔ワイヤレスノードに対するユーザモデルの一部を含む請求項１記載のワイヤレスノード。
【請求項１０】
前記処理システムは、前記支援情報から前記相関ルールを復元するようにさらに構成されている請求項１記載のワイヤレスノード。
【請求項１１】
前記処理システムは、前記支援情報から前記相関しきい値を復元するようにさらに構成されている請求項１記載のワイヤレスノード。
【請求項１２】
前記遠隔ワイヤレスノードと前記ワイヤレスノードとの間で前記ワイヤレスリンクが確立された場合に、前記処理システムは、前記情報と、前記ワイヤレスリンクを通して前記遠隔ワイヤレスノードから受信した追加の支援情報との間のさらなる相関に少なくとも部分的に基づいて、前記ワイヤレスリンクを維持するか否かを決定するようにさらに構成されている請求項１記載のワイヤレスノード。
【請求項１３】
前記ユーザモデルは、ユーザの人口統計と、ユーザの好みとを含む請求項１記載のワイヤレスノード。
【請求項１４】
前記ユーザモデルは、キーワードを含む請求項１記載のワイヤレスノード。
【請求項１５】
前記処理システムは、ユーザの行動に少なくとも部分的に基づいて、前記ユーザモデルを生成して維持するようにさらに構成されている請求項１記載のワイヤレスノード。
【請求項１６】
前記情報は、複数のターゲットコンテンツメッセージに対するメタデータを含む請求項１記載のワイヤレスノード。
【請求項１７】
前記処理システムは、前記観測された支援情報が前記ユーザモデルと相関している場合に、前記観測された支援情報と、複数のターゲットコンテンツメッセージに対するメタデータを相関させるようにさらに構成されており、前記処理システムは、前記メタデータと前記観測された支援情報との間の相関に少なくとも部分的に基づいて、前記ワイヤレスリンクを確立するか否かを決定するようにさらに構成されている請求項１記載のワイヤレスノード。
【請求項１８】
前記情報は、複数のターゲットコンテンツメッセージに対するメタデータを含み、または、前記処理システムは、前記情報と前記観測された支援情報との相関に続いて、前記観測された支援情報と、複数のターゲットコンテンツメッセージに対するメタデータを相関させるようにさらに構成されており、前記処理システムが、前記ワイヤレスリンクを確立することを決定した場合に、前記処理システムは、前記観測された支援情報に相関しているメタデータを、前記ワイヤレスリンクを通して、前記遠隔ワイヤレスノードに提供するようにさらに構成されている請求項１記載のワイヤレスノード。
【請求項１９】
前記処理システムは、前記ワイヤレスリンクを通して提供されたメタデータのサブセットを示す信号を、前記遠隔ワイヤレスノードから受信するようにと、前記メタデータの前記サブセットに対応する前記ターゲットコンテンツメッセージのうちの１つ以上を、前記ワイヤレスリンクを通して、前記遠隔ワイヤレスノードに提供するようにさらに構成されている請求項１８記載のワイヤレスノード。
【請求項２０】
ワイヤレスノードにおいて、
第１のしきい値を記憶する手段と、
観測された支援情報から第２のしきい値を復元する手段と、
相関しきい値として前記第１のしきい値および前記第２のしきい値のうちの１つを選択する手段と、
相関ルールに基づいて相関メトリックを計算することと、前記計算した相関メトリックと前記相関しきい値とを比較することとにより、遠隔ワイヤレスノードからの前記観測された支援情報と情報を相関させる第１の手段と、ここで、前記情報は、前記ワイヤレスノードに対するユーザモデルを含み、
前記相関に少なくとも部分的に基づいて、前記遠隔ワイヤレスノードが、ワイヤレスリンクを確立すべきか否かを決定する第２の手段とを具備するワイヤレスノード。
【請求項２１】
前記第２の手段は、前記遠隔ワイヤレスノードが、前記ワイヤレスノードとの前記ワイヤレスリンクを確立すべきか否かを決定するように構成されている請求項２０記載のワイヤレスノード。
【請求項２２】
前記情報は、別の遠隔ワイヤレスノードからの観測された支援情報を含み、前記第２の手段は、前記遠隔ワイヤレスノードが、前記別の遠隔ワイヤレスノードとの前記ワイヤレスリンクを確立すべきか否かを決定するように構成されている請求項２０記載のワイヤレスノード。
【請求項２３】
前記ワイヤレスノードは、別の遠隔ワイヤレスノードからの観測された支援情報と前記情報を相関させる手段をさらに具備し、前記第２の手段は、前記別の遠隔ワイヤレスノードからの観測された支援情報と前記情報との前記相関に少なくとも部分的に基づいて、前記遠隔ワイヤレスノードが、前記別の遠隔ワイヤレスノードとの前記ワイヤレスリンクを確立すべきか否かを決定するように構成されている請求項２０記載のワイヤレスノード。
【請求項２４】
前記情報が、前記別の遠隔ワイヤレスノードからの観測された支援情報と相関している場合に、前記遠隔ワイヤレスノードからの観測された支援情報と、前記別の遠隔ワイヤレスノードからの観測された支援情報とを相関させる手段をさらに具備し、前記第２の手段は、前記遠隔ワイヤレスノードからの観測された支援情報と、前記別の遠隔ワイヤレスノードからの観測された支援情報との相関に少なくとも部分的に基づいて、前記遠隔ワイヤレスノードが、前記別の遠隔ワイヤレスノードとの前記ワイヤレスリンクを確立すべきか否かを決定するようにさらに構成されている請求項２３記載のワイヤレスノード。
【請求項２５】
前記遠隔ワイヤレスノードと別の遠隔ワイヤレスノードとの間のワイヤレスリンクをサポートする手段をさらに具備する請求項２０記載のワイヤレスノード。
【請求項２６】
前記遠隔ワイヤレスノードと別の遠隔ワイヤレスノードとにシグナリングして、前記遠隔ワイヤレスノードと、前記別の遠隔ワイヤレスノードとの間の前記ワイヤレスリンクを確立する手段をさらに具備する請求項２０記載のワイヤレスノード。
【請求項２７】
前記遠隔ワイヤレスノードによりブロードキャストされた基準から前記支援情報を復元する手段をさらに具備する請求項２０記載のワイヤレスノード。
【請求項２８】
前記支援情報は、前記遠隔ワイヤレスノードに対するユーザモデルの一部を含む請求項２０記載のワイヤレスノード。
【請求項２９】
前記支援情報から前記相関ルールを復元する手段をさらに具備する請求項２０記載のワイヤレスノード。
【請求項３０】
前記支援情報から前記相関しきい値を復元する手段をさらに具備する請求項２０記載のワイヤレスノード。
【請求項３１】
前記遠隔ワイヤレスノードと前記ワイヤレスノードとの間で前記ワイヤレスリンクが確立された場合に、前記ワイヤレスノードは、前記情報と、前記ワイヤレスリンクを通して前記遠隔ワイヤレスノードから受信した追加の支援情報との間のさらなる相関に少なくとも部分的に基づいて、前記ワイヤレスリンクを維持するか否かを決定する手段をさらに具備する請求項２０記載のワイヤレスノード。
【請求項３２】
前記ユーザモデルは、ユーザの人口統計と、ユーザの好みとを含む請求項２０記載のワイヤレスノード。
【請求項３３】
前記ユーザモデルは、キーワードを含む請求項２０記載のワイヤレスノード。
【請求項３４】
前記ワイヤレスノードは、ユーザの行動に少なくとも部分的に基づいて、前記ユーザモデルを生成して維持する手段をさらに具備する請求項２０記載のワイヤレスノード。
【請求項３５】
前記情報は、複数のターゲットコンテンツメッセージに対するメタデータを含む請求項２０記載のワイヤレスノード。
【請求項３６】
前記ワイヤレスノードは、前記観測された支援情報が前記ユーザモデルと相関している場合に、前記観測された支援情報と、複数のターゲットコンテンツメッセージに対するメタデータを相関させる手段をさらに具備し、前記第２の手段は、前記メタデータと前記観測された支援情報との間の相関に少なくとも部分的に基づいて、前記ワイヤレスリンクを確立するか否かを決定するように構成されている請求項２０記載のワイヤレスノード。
【請求項３７】
前記情報は、複数のターゲットコンテンツメッセージに対するメタデータを含み、または、前記ワイヤレスノードは、前記情報と前記観測された支援情報との相関に続いて、前記観測された支援情報と、複数のターゲットコンテンツメッセージに対するメタデータとを相関させる手段をさらに具備し、前記第２の手段が、前記ワイヤレスリンクを確立することを決定した場合に、前記ワイヤレスノードは、前記観測された支援情報に相関しているメタデータを、前記ワイヤレスリンクを通して、前記遠隔ワイヤレスノードに提供する手段をさらに具備する請求項２０記載のワイヤレスノード。
【請求項３８】
前記ワイヤレスリンクを通して提供されたメタデータのサブセットを示す信号を、前記遠隔ワイヤレスノードから受信する手段と、前記メタデータの前記サブセットに対応する前記ターゲットコンテンツメッセージのうちの１つ以上を、前記ワイヤレスリンクを通して、前記遠隔ワイヤレスノードに提供する手段とをさらに具備する請求項３７記載のワイヤレスノード。
【請求項３９】
ワイヤレスノードにおける通信の方法において、
第１のしきい値を記憶することと、
観測された支援情報から第２のしきい値を復元することと、
相関しきい値として前記第１のしきい値および前記第２のしきい値のうちの１つを選択することと、
相関ルールに基づいて相関メトリックを計算することと、前記計算した相関メトリックと前記相関しきい値とを比較することとにより、遠隔ワイヤレスノードからの前記観測された支援情報と情報を相関させることと、ここで、前記情報は、前記ワイヤレスノードに対するユーザモデルを含み、
前記相関に少なくとも部分的に基づいて、前記遠隔ワイヤレスノードが、ワイヤレスリンクを確立すべきか否かを決定することとを含む方法。
【請求項４０】
前記遠隔ワイヤレスノードが、ワイヤレスリンクを確立すべきか否かを決定することは、前記遠隔ワイヤレスノードが、前記ワイヤレスノードとの前記ワイヤレスリンクを確立すべきか否かを決定することを含む請求項３９記載の方法。
【請求項４１】
前記情報は、別の遠隔ワイヤレスノードからの観測された支援情報を含み、前記遠隔ワイヤレスノードが、ワイヤレスリンクを確立すべきか否かを決定することは、前記遠隔ワイヤレスノードが、前記別の遠隔ワイヤレスノードとの前記ワイヤレスリンクを確立すべきか否かを決定することを含む請求項３９記載の方法。
【請求項４２】
別の遠隔ワイヤレスノードからの観測された支援情報と前記情報を相関させることをさらに含み、前記遠隔ワイヤレスノードが、ワイヤレスリンクを確立すべきか否かを決定することは、前記別の遠隔ワイヤレスノードからの観測された支援情報と前記情報との前記相関に少なくとも部分的に基づいて、前記遠隔ワイヤレスノードが、前記別の遠隔ワイヤレスノードとの前記ワイヤレスリンクを確立すべきか否かを決定することを含む請求項３９記載の方法。
【請求項４３】
前記情報が、前記別の遠隔ワイヤレスノードからの観測された支援情報と相関している場合に、前記遠隔ワイヤレスノードからの観測された支援情報と、前記別の遠隔ワイヤレスノードからの観測された支援情報とを相関させることをさらに含み、前記遠隔ワイヤレスノードが、ワイヤレスリンクを確立すべきか否かを決定することは、前記遠隔ワイヤレスノードからの観測された支援情報と、前記別の遠隔ワイヤレスノードからの観測された支援情報との相関に少なくとも部分的に基づいて、前記遠隔ワイヤレスノードが、前記別の遠隔ワイヤレスノードとの前記ワイヤレスリンクを確立すべきか否かを決定することを含む請求項４２記載の方法。
【請求項４４】
前記遠隔ワイヤレスノードと別の遠隔ワイヤレスノードとの間のワイヤレスリンクをサポートすることをさらに含む請求項３９記載の方法。
【請求項４５】
前記遠隔ワイヤレスノードと別の遠隔ワイヤレスノードとにシグナリングして、前記遠隔ワイヤレスノードと、前記別の遠隔ワイヤレスノードとの間の前記ワイヤレスリンクを確立することをさらに含む請求項３９記載の方法。
【請求項４６】
前記遠隔ワイヤレスノードによりブロードキャストされた基準から前記支援情報を復元することをさらに含む請求項３９記載の方法。
【請求項４７】
前記支援情報は、前記遠隔ワイヤレスノードに対するユーザモデルの一部を含む請求項３９記載の方法。
【請求項４８】
前記支援情報から前記相関ルールを復元することをさらに含む請求項３９記載の方法。
【請求項４９】
前記支援情報から前記相関しきい値を復元することをさらに含む請求項３９記載の方法。
【請求項５０】
前記遠隔ワイヤレスノードと前記ワイヤレスノードとの間で前記ワイヤレスリンクが確立された場合に、前記方法は、前記情報と、前記ワイヤレスリンクを通して前記遠隔ワイヤレスノードから受信した追加の支援情報との間のさらなる相関に少なくとも部分的に基づいて、前記ワイヤレスリンクを維持するか否かを決定することをさらに含む請求項３９記載の方法。
【請求項５１】
前記ユーザモデルは、ユーザの人口統計と、ユーザの好みとを含む請求項３９記載の方法。
【請求項５２】
前記ユーザモデルは、キーワードを含む請求項３９記載の方法。
【請求項５３】
前記方法は、ユーザの行動に少なくとも部分的に基づいて、前記ユーザモデルを生成して維持することをさらに含む請求項３９記載の方法。
【請求項５４】
前記情報は、複数のターゲットコンテンツメッセージに対するメタデータを含む請求項３９記載の方法。
【請求項５５】
前記方法は、前記観測された支援情報が前記ユーザモデルと相関している場合に、前記観測された支援情報と、複数のターゲットコンテンツメッセージに対するメタデータを相関させることをさらに含み、前記遠隔ワイヤレスノードが、ワイヤレスリンクを確立すべきか否かを決定することは、前記メタデータと前記観測された支援情報との間の相関に少なくとも部分的に基づいて、前記ワイヤレスリンクを確立するか否かを決定することを含む請求項３９記載の方法。
【請求項５６】
前記情報は、複数のターゲットコンテンツメッセージに対するメタデータを含み、または、前記方法は、前記観測された支援情報と前記情報との相関に続いて、前記観測された支援情報と、複数のターゲットコンテンツメッセージに対するメタデータを相関させることをさらに含み、前記ワイヤレスリンクを確立することが決定された場合に、前記方法は、前記観測された支援情報に相関しているメタデータを、前記ワイヤレスリンクを通して、前記遠隔ワイヤレスノードに提供することをさらに含む請求項３９記載の方法。
【請求項５７】
前記ワイヤレスリンクを通して提供されたメタデータのサブセットを示す信号を、前記遠隔ワイヤレスノードから受信することと、前記メタデータの前記サブセットに対応する前記ターゲットコンテンツメッセージのうちの１つ以上を、前記ワイヤレスリンクを通して、前記遠隔ワイヤレスノードに提供することとをさらに含む請求項５６記載の方法。
【請求項５８】
第１のしきい値を記憶させるためのコードと、
観測された支援情報から第２のしきい値を復元させるためのコードと、
相関しきい値として前記第１のしきい値および前記第２のしきい値のうちの１つを選択させるためのコードと、
相関ルールに基づいて相関メトリックを計算することと、前記計算した相関メトリックと前記相関しきい値とを比較することとにより、遠隔ワイヤレスノードからの前記観測された支援情報と情報を相関させるための第１のコードと、ここで、前記情報は、前記ワイヤレスノードに対するユーザモデルを含み、
前記相関に少なくとも部分的に基づいて、前記遠隔ワイヤレスノードが、ワイヤレスリンクを確立すべきか否かを決定するための第２のコードとを記録したコンピュータ読取可能な記録媒体。
【請求項５９】
前記第２のコードは、前記遠隔ワイヤレスノードが、前記ワイヤレスノードとの前記ワイヤレスリンクを確立すべきか否かを決定するように構成されている請求項５８記載のコンピュータ読取可能な記録媒体。
【請求項６０】
前記情報は、別の遠隔ワイヤレスノードからの観測された支援情報を含み、前記第２のコードは、前記遠隔ワイヤレスノードが、前記別の遠隔ワイヤレスノードとの前記ワイヤレスリンクを確立すべきか否かを決定するように構成されている請求項５８記載のコンピュータ読取可能な記録媒体。
【請求項６１】
別の遠隔ワイヤレスノードからの観測された支援情報と前記情報を相関させるためのコードをさらに記録し、前記第２のコードは、前記別の遠隔ワイヤレスノードからの観測された支援情報と前記情報との前記相関に少なくとも部分的に基づいて、前記遠隔ワイヤレスノードが、前記別の遠隔ワイヤレスノードとの前記ワイヤレスリンクを確立すべきか否かを決定するように構成されている請求項５８記載のコンピュータ読取可能な記録媒体。
【請求項６２】
前記情報が、前記別の遠隔ワイヤレスノードからの観測された支援情報と相関している場合に、前記遠隔ワイヤレスノードからの観測された支援情報と、前記別の遠隔ワイヤレスノードからの観測された支援情報とを相関させるためのコードをさらに記録し、前記第２のコードは、前記遠隔ワイヤレスノードからの観測された支援情報と、前記別の遠隔ワイヤレスノードからの観測された支援情報との相関に少なくとも部分的に基づいて、前記遠隔ワイヤレスノードが、前記別の遠隔ワイヤレスノードとの前記ワイヤレスリンクを確立すべきか否かを決定するようにさらに構成されている請求項６１記載のコンピュータ読取可能な記録媒体。
【請求項６３】
前記遠隔ワイヤレスノードと別の遠隔ワイヤレスノードとの間のワイヤレスリンクをサポートするためのコードをさらに記録した請求項５８記載のコンピュータ読取可能な記録媒体。
【請求項６４】
前記遠隔ワイヤレスノードと別の遠隔ワイヤレスノードとにシグナリングして、前記遠隔ワイヤレスノードと、前記別の遠隔ワイヤレスノードとの間の前記ワイヤレスリンクを確立するためのコードをさらに記録した請求項５８記載のコンピュータ読取可能な記録媒体。
【請求項６５】
前記遠隔ワイヤレスノードによりブロードキャストされた基準から前記支援情報を復元するためのコードをさらに記録した請求項５８記載のコンピュータ読取可能な記録媒体。
【請求項６６】
前記支援情報は、前記遠隔ワイヤレスノードに対するユーザモデルの一部を含む請求項５８記載のコンピュータ読取可能な記録媒体。
【請求項６７】
前記支援情報から前記相関ルールを復元するためのコードをさらに記録した請求項５８記載のコンピュータ読取可能な記録媒体。
【請求項６８】
前記支援情報から前記相関しきい値を復元するためのコードをさらに記録した請求項５８記載のコンピュータ読取可能な記録媒体。
【請求項６９】
前記遠隔ワイヤレスノードと前記ワイヤレスノードとの間で前記ワイヤレスリンクが確立された場合に、前記情報と、前記ワイヤレスリンクを通して前記遠隔ワイヤレスノードから受信した追加の支援情報との間のさらなる相関に少なくとも部分的に基づいて、前記ワイヤレスリンクを維持するか否かを決定するためのコードをさらに記録した請求項５８記載のコンピュータ読取可能な記録媒体。
【請求項７０】
前記ユーザモデルは、ユーザの人口統計と、ユーザの好みとを含む請求項５８記載のコンピュータ読取可能な記録媒体。
【請求項７１】
前記ユーザモデルは、キーワードを含む請求項５８記載のコンピュータ読取可能な記録媒体。
【請求項７２】
ユーザの行動に少なくとも部分的に基づいて、前記ユーザモデルを生成して維持するためのコードをさらに記録した請求項５８記載のコンピュータ読取可能な記録媒体。
【請求項７３】
前記情報は、複数のターゲットコンテンツメッセージに対するメタデータを含む請求項５８記載のコンピュータ読取可能な記録媒体。
【請求項７４】
前記観測された支援情報が前記ユーザモデルと相関している場合に、前記観測された支援情報と、複数のターゲットコンテンツメッセージに対するメタデータとを相関させるためのコードをさらに記録し、前記第２の手段は、前記メタデータと前記観測された支援情報との間の相関に少なくとも部分的に基づいて、前記ワイヤレスリンクを確立するか否かを決定するように構成されている請求項５８記載のコンピュータ読取可能な記録媒体。
【請求項７５】
前記情報は、複数のターゲットコンテンツメッセージに対するメタデータを含み、または、前記コンピュータ読取可能な記録媒体は、前記観測された支援情報と前記情報との相関に続いて、前記観測された支援情報と、複数のターゲットコンテンツメッセージに対するメタデータとを相関させるためのコードをさらに記録し、前記第２のコードが、前記ワイヤレスリンクを確立することを決定した場合に、前記コンピュータ読取可能な記録媒体は、前記観測された支援情報に相関しているメタデータを、前記ワイヤレスリンクを通して、前記遠隔ワイヤレスノードに提供するためのコードをさらに記録した請求項５８記載のコンピュータ読取可能な記録媒体。
【請求項７６】
前記ワイヤレスリンクを通して提供されたメタデータのサブセットを示す信号を、前記遠隔ワイヤレスノードから受信するためのコードと、前記メタデータの前記サブセットに対応する前記ターゲットコンテンツメッセージのうちの１つ以上を、前記ワイヤレスリンクを通して、前記遠隔ワイヤレスノードに提供するためのコードとをさらに記録した請求項７５記載のコンピュータ読取可能な記録媒体。
【発明の詳細な説明】
【分野】
【０００１】
本開示は、一般的に、ワイヤレス通信に関し、さらに詳細には、相関情報に基づいて、複数のワイヤレスノード間にローカルワイヤレス接続性を確立するためのさまざまな装置および方法に関連する。
【背景】
【０００２】
一般に、ピア・ツー・ピア（“Ｐ２Ｐ”）ワイヤレスネットワークは、アドホック接続を介してノードを接続するために使用される。これらのネットワークは、通信が通常中央サーバと行われる従来のクライアント−サーバモデルとは異なる。ピア・ツー・ピアネットワークは、互いに直接通信するピアノードのみからなってもよく、または、ネットワーク中のノードにさまざまなサービスを提供するための少数のサーバを含んでもよい。これらのネットワークは、ファイルと、メディアストリーミングと、電話通信と、リアルタイムデータアプリケーションと、他の通信とを効率的に共有するのに有用である。
【０００３】
ピア・ツー・ピアワイヤレスネットワークでは、ノードがワイヤレスリンクを確立できるように、さまざまな発見および捕捉の手順が用いられる。例として、ワイヤレスノードは、サービス情報をブロードキャストすることにより、その利用可能性をアドバタイズしてもよい。サービス情報は、別のワイヤレスノードとのワイヤレスリンクを確立するためのパラメータを含んでもよい。パラメータは、アクセスプロトコル、サポートされているデータレート、利用可能なサービスの品質、安全性とともに、他のパラメータも含んでもよい。ネットワークにより規定されているさまざまなアクセスメカニズムを使用して、ワイヤレスリンクを確立するための捕捉手順を開始するために、ネットワーク中の別のワイヤレスノードにより、サービス情報が使用されてもよい。
【０００４】
ピア・ツー・ピアワイヤレス通信の精巧さおよび複雑さの増大は継続しているので、ワイヤレスノード間でインテリジェントな発見および捕捉手順を実現することがますます望まれるようになっている。これらの手順は、他のネットワークにも適用可能であるべきである。
【概要】
【０００５】
本開示の１つの態様では、ワイヤレスノードは、情報を記憶するように構成されている処理システムを備え、処理システムは、別のワイヤレスノードからの支援情報と、記憶している情報を相関させることにより、別のワイヤレスノードを発見するようにと、相関に少なくとも部分的に基づいて、別のワイヤレスノードとのワイヤレスリンクを確立するか否かを決定するように、さらに構成されている。
【０００６】
本開示の別の態様では、ワイヤレスノードは、遠隔ワイヤレスノードからの観測された支援情報と情報を相関させる第１の手段と、相関に少なくとも部分的に基づいて、遠隔ワイヤレスノードが、ワイヤレスリンクを確立すべきか否かを決定する第２の手段とを具備する。
【０００７】
本開示のさらに別の態様では、ワイヤレスノードにおける通信の方法は、遠隔ワイヤレスノードからの観測された支援情報と情報を相関させることと、相関に少なくとも部分的に基づいて、遠隔ワイヤレスノードが、ワイヤレスリンクを確立すべきか否かを決定することとを含む。
【０００８】
本開示のさらに別の態様では、ワイヤレスノードに対するコンピュータプロダクトは、コンピュータ読取可能媒体を具備し、コンピュータ読取可能媒体は、遠隔ワイヤレスノードからの観測された支援情報と情報を相関させるための第１のコードと、相関に少なくとも部分的に基づいて、遠隔ワイヤレスノードが、ワイヤレスリンクを確立すべきか否かを決定するための第２のコードとを有する。
【図面の簡単な説明】
【０００９】
さまざまな装置および方法の態様、ならびに、それらが動作する環境を、以下に続く詳細な説明と、添付図面とにおいて、これから提示する。
【図１】図１は、例示的なピア・ツー・ピアワイヤレスネットワークの概念図である。
【図２】図２は、別の例示的なピア・ツー・ピアワイヤレスネットワークの概念図である。
【図３Ａ】図３Ａは、基準信号をブロードキャストしているワイヤレスノードを示す、さらに別の例示的なピア・ツー・ピアワイヤレスネットワークの概念図である。
【図３Ｂ】図３Ｂは、基準信号に応答しての直接的なワイヤレスリンクの確立を示す、図３Ａの例示的なピア・ツー・ピアワイヤレスネットワークの概念図である。
【図４Ａ】図４Ａは、基準信号をブロードキャストしている２つのワイヤレスノードを示す、さらに別の例示的なピア・ツー・ピアワイヤレスネットワークの概念図である。
【図４Ｂ】図４Ｂは、基準信号に応答しての直接的なワイヤレスリンクの確立を示す、図４Ａの例示的なピア・ツー・ピアワイヤレスネットワークの概念図である。
【図４Ｃ】図４Ｃは、基準信号に応答しての間接的なワイヤレスリンクの確立を示す、図４Ａの例示的なワイヤレスネットワークの概念図である。
【図５Ａ】図５Ａは、基準信号をブロードキャストしているワイヤレスノードを示す、さらに別の例示的なピア・ツー・ピアワイヤレスネットワークの概念図である。
【図５Ｂ】図５Ｂは、基準信号に応答してのワイヤレスリンクの確立を示す、図５Ａの例示的なピア・ツー・ピアワイヤレスネットワークの概念図である。
【図６】図６は、ワイヤレスノードに対するハードウェアコンフィギュレーションの例を示す概念図である。
【図７】図７は、ワイヤレスリンクを確立するか否かを決定するために、ワイヤレスノードにより実現されるプロセスの例を示すフローチャートである。
【図８】図８は、図７に関連して説明したプロセスの一部として、ワイヤレスノードにより実現される相関プロセスの例を示すフローチャートである。
【図９】図９は、ターゲットコンテンツメッセージを配信するために、ワイヤレスノードにより実現されるプロセスの例を示すフローチャートである。
【図１０】図１０は、ワイヤレスノードに対するプロトコルスタックの例を示す概念図である。
【図１１】図１１は、ワイヤレスノードの機能性の例を示す概念図である。
【詳細な説明】
【００１０】
さまざまな装置および方法の態様、ならびに、それらが動作する環境を、以下で説明する。しかしながら、これらの装置および方法は、多くの異なる形で具現化されてもよく、本開示全体を通して提示されているさまざまなコンフィギュレーションに限定されるものとして解釈すべきではない。むしろ、これらの装置および方法のさまざまな態様は、本開示が完全で完璧であるように、ならびに、本発明の範囲を当業者に十分に伝えるように、提供される。当業者が容易に正しく認識するように、これらの装置および方法の完全な理解を提供する目的のために、さまざまな詳細が提示されてもよい。しかしながら、これらの装置および方法のさまざまなコンフィギュレーションは、これらの特定の詳細なしに実現されてもよい。いくつかの例では、よく知られている構造およびコンポーネントは、本開示全体を通して提示されているさまざまな概念を曖昧にするのを避けるために、ブロックダイヤグラムの形で示されている。
【００１１】
以下の詳細な説明では、ピア・ツー・ピアワイヤレスネットワークの文脈で、さまざまな装置および方法の態様を説明する。しかしながら、当業者が容易に正しく認識するように、本発明は、広範囲のネットワークおよび通信プロトコルに拡張されてもよい。したがって、ピア・ツー・ピアワイヤレスネットワークに対する何らかの参照は、このような態様が広範囲の適用を有することを理解した上で、さまざまな装置および方法の態様を示すようにのみ意図されている。
【００１２】
ピア・ツー・ピアワイヤレスネットワークの例を、図１を参照してここで提示する。ピア・ツー・ピアワイヤレスネットワークは、何らかの適切なワイヤレスアクセスプロトコルにより実現されてもよい。例として、ネットワークは、ＵＷＢ（ウルトラワイドバンド）ネットワークに類似するが、必ずしも短距離通信に限定されない、分散型ＭＡＣ（媒体アクセス制御）ピア・ツー・ピアプロトコルにより、実現されてもよい。ＵＭＢ（ウルトラモバイルブロードバンド）またはＬＴＥ（ロングタームエボリューション）に類似して、物理レイヤにより長距離通信がサポートされてもよい。ＵＭＢは、ＣＤＭＡ１０００ファミリーの標準規格の一部として、第３世代パートナーシッププロジェクト２（３ＧＰＰ２）により公表された、エアインターフェース標準規格であり、移動体加入者にブロードバンドインターネットアクセスを提供するために、コード分割多元接続（ＣＤＭＡ）のような多元接続技術を用いる。ＬＴＥは、ＯＦＤＭＡ（直交周波数分割多元接続）技術に基づいて、ＵＭＴＳ（ユニバーサルモバイルテレコミュニケーションシステム）移動電話機標準規格を改善するための、第三世代パートナーシッププロジェクト（３ＧＰＰ）内のプロジェクトである。しかしながら、当業者が容易に正しく認識するように、本開示全体を通して提示されているさまざまな装置および方法の態様は、ワイヤレスアクセスプロトコルにかかわらず、何らかの適切なネットワークに拡張されてもよい。したがって、特定のワイヤレスアクセスプロトコルに対する何らかの参照は、このような態様が、広範囲の適用を有することを理解した上で、さまざまな装置および方法の態様を示すようにのみ意図されている。
【００１３】
図１に目を向けると、多数のワイヤレスノード１０２を持つピア・ツー・ピアワイヤレスネットワーク１００が示されており、多数のワイヤレスノード１０２のそれぞれは、異なるデバイスとして実現されてもよい。例として、ワイヤレスノード１０２は、ラップトップコンピュータ、移動電話機、パーソナルデジタルアシスタント（ＰＤＡ）、デジタルオーディオプレーヤー、ゲームコンソール、デジタルカメラ、デジタルカムコーダー、マルチメディアデバイス、または、ネットワーク１００中の他のワイヤレスノード１０２とのピア・ツー・ピア接続をサポートすることが可能な他の何らかの適切なデバイスとして、構成されてもよい。ワイヤレスノード１０２は、当業者により、ハンドセット、ワイヤレス通信デバイス、ユーザ端末、ユーザ機器、移動局、移動ユニット、加入者ユニット、加入者局、移動体ラジオ、無線電話機、ワイヤレス局、ワイヤレスデバイス、または、他の何らかの専門用語と、呼ばれてもよい。本開示全体を通して説明するさまざまな概念は、それらの特定の専門語にかかわらず、すべてのワイヤレスノードに適用するように意図されている。
【００１４】
この例では、ピア・ツー・ピアネットワーク１００は、ワイヤレスリンクにより接続されているワイヤレスノード１０２の自動設定ネットワークであり、これは、共に、任意のワイヤレストポロジーを形成する。ワイヤレスノード１０２は、直接的にか、または、１つ以上の中間ノード１０２を通してかのいずれかによる、ネットワーク１００中の別のワイヤレスノード１０２との接続をサポートするために、ワイヤレストポロジーを利用してもよい。ワイヤレスノード１０２は、カバレッジ領域全体を通して自由に移動するので、ワイヤレストポロジーは急速に変化することがある。その結果として、ピア・ツー・ピアネットワーク１００は、カバレッジ領域全体を通してワイヤレスノード１０２が移動するときに、接続を維持するように動的に再構成可能である。
【００１５】
ピア・ツー・ピア接続性を確立するために、さまざまなアプローチを使用してもよい。例として、ピア・ツー・ピア接続性は、“ピア・ツー・ピア通信ネットワークにおけるピアのページング”と題する米国特許出願番号第１１／７７５，８５９号と、“識別および／または発見情報を安全にアドタイズするための方法ならびに装置”と題する米国特許出願番号第１２／１６３，１７９号と、“オーバーラップしているネットワークを形成し、維持し、および／または、使用するための方法ならびに装置”と題する米国特許出願番号第１２／３６１，８５３号とに開示されているプロセスまたは方法のいずれかにより確立されてもよく、これらの出願のそれぞれの内容は、その全体が、参照によりここに組み込まれている。
【００１６】
図２は、ピア・ツー・ピアワイヤレスネットワークの別の例を示す概念図である。この例では、いくつかの固定サイトノード２０４を持つネットワーク１００が示されている。固定サイトノード２０４は、当業者により、アクセスポイント、中継ポイント、ノードＢ、無線ネットワーク制御装置（ＲＮＣ）、ｅノードＢ、基地局制御装置（ＢＳＣ）、基地トランシーバ局（ＢＴＳ）、基地局（ＢＳ）、トランシーバ機能（ＴＦ）、無線ルータ、無線トランシーバ、ベーシックサービスセット（ＢＳＳ）、拡張サービスセット（ＥＳＳ）、無線基地局（ＲＢＳ）、または、他の何らかの適切な専門用語と、呼ばれてもよい。
【００１７】
ワイヤレスノード１０２は、直接的にか、あるいは、１つ以上のワイヤレスノードおよび／または固定サイトノードを通して、ネットワーク１００中の別のワイヤレスノードに接続されてもよい。以前に説明した例と同様に、ワイヤレストポロジーは、ワイヤレスノード１０２がカバレッジ領域全体を通して移動して、固定サイトノード２０４上の負荷が変化するときに、接続を維持するように動的に再構成可能である。ネットワーク１００の１つのコンフィギュレーションでは、固定サイトノード２０４は、市町村または大きな地理的領域をカバーするワイヤレスワイドエリアネットワーク（ＷＷＡＮ）全体を通して、分散されていてもよい。ネットワーク１００の別のコンフィギュレーションでは、固定サイトノード２０４は、家、オフィスビル、空港、ホテル、コーヒーショップ、あるいは、他の適切な私的または公的な場所の中にあるワイヤレスローカルエリアネットワーク（ＷＬＡＮ）全体を通して、分散されていてもよい。ピア・ツー・ピアネットワーク１００の地理的範囲は、インターネットまたはこれに類するもののような、ワイドエリアネットワーク（ＷＡＮ）２０６を通して拡張されてもよい。示されているように、単一の固定サイトノード２０４が、他のワイヤレスノード１０２に対してＷＡＮ２０６へのバックホール接続を提供してもよく、または、代替的に、ワイヤレスノード１０２と固定サイトノード２０４の何らかの組み合わせが、バックホールを提供してもよい。
【００１８】
ピア・ツー・ピアネットワーク１００中のワイヤレスノード１０２は、他のワイヤレスノード１０２とのワイヤレスリンクを確立するために、さまざまな捕捉手順を実現する。図３Ａに目を向けると、第１のワイヤレスノード１０２ａが、ネットワーク１００中の他のワイヤレスノードに基準信号をブロードキャストしてもよい。基準信号は、第１のワイヤレスノード１０２ａとのワイヤレスリンクを確立するか否かを決定するために、ネットワーク１００中の他のワイヤレスノード１０２により使用されることがある“支援情報”に加えて、本開示の背景部分で以前に論じたようなサービス情報を含んでいてもよい。支援情報は、第１のワイヤレスノード１０２ａ上に記憶されているユーザモデルまたはユーザプロファイルの一部を含んでいてもよい。“ユーザモデル”または“ユーザプロファイル”という用語は、区別なく使用され得る。これは、ワイヤレスノード上のユーザのモデルのことを指し、本開示において後に論じるように、静的に構成されているか、または、動的に学習されるかのいずれかである。支援情報はまた、キーワードおよびこれに類するもののような、他のさまざまな情報も含んでいてもよい。
【００１９】
ワイヤレスノード１０２上でユーザモデルを生成させるために、さまざまなアプローチが使用されてもよい。例として、“地理的なユーザプロファイルを決定し、プロファイルに基づいて、ターゲットコンテンツメッセージの適切さを決定するための方法およびシステム”と題する米国特許出願公報第２００９０１２５３２１号と、“モバイル環境におけるユーザプロファイル一致表示のための方法およびシステム”と題する米国特許出願公報第２００９０１２４２４１号と、“外部プロセスを使用した、ターゲットコンテンツ分散のためのユーザプロファイル発生アーキテクチャ”と題する米国特許出願公報第２００９００４８９７７号と、“モバイル環境において、可変の信頼レベルを持つプロファイル属性を使用して、ターゲット情報を提供するための方法およびシステム”と題する米国特許出願公報第２００９００１２８６１号と、“モバイル通信デバイスにおいて、ユーザプロファイルに基づいて、ターゲット情報を配信するための方法およびシステム”と題する米国特許出願公報第２００９００１１７４４号と、“モバイル環境において、ユーザプロファイルに基づいて、ターゲット情報を提供するための方法およびシステム”と題する米国特許出願公報第２００９００１１７４０号とに開示されているプロセスまたは方法のうちのいずれかを使用して、ユーザモデルが生成されてもよく、これらの出願のそれぞれの内容は、その全体が、参照によりここに組み込まれている。
【００２０】
第２のワイヤレスノード１０２ｂは、基準信号をデコードして支援情報を復元し、支援情報を、第２のワイヤレスノード１０２ｂ上に記憶されているユーザモデルと相関させる。支援情報は、ある相関ルールに基づいて、ユーザモデルと相関されてもよい。支援情報と、そのユーザモデルとの間に十分な相関があることを第２のワイヤレスノード１０２ｂが決定した場合に、第２のワイヤレスノード１０２ｂは、図３Ｂにおいて示されているように、第１のワイヤレスノード１０２ａとのワイヤレスリンクを確立するためのさまざまな捕捉手順を実現してもよい。相関メトリックを計算し、計算した相関メトリックをしきい値と比較することにより、相関が十分であるか否かが決定されてもよい。相関メトリックがしきい値を超えている場合に、第２のワイヤレスノード１０２ｂは、ワイヤレスリンクを確立するのに相関が十分であると決定する。
【００２１】
相関プロセスの簡略化した例をここで提示する。当業者が容易に正しく認識するように、さまざまな複雑さの他の多くの相関プロセスが実現されてもよい。例として、“モバイル環境におけるキーワード相関のための方法およびシステム”と題する米国特許出願公報第２００９０１２５５１７号と、“モバイル環境において、ターゲットコンテンツメッセージのユーザ相関の学習および予測のために、キーワードベクトルおよび関係するメトリックを使用する方法ならびにシステム”と題する米国特許出願公報第２００９０１２５４６２号とに開示されているプロセスまたは方法のうちのいずれかにより、相関が実行されてもよく、これらの出願のそれぞれの内容は、その全体が、参照によりここに組み込まれている。
【００２２】
我々の簡略化した例に目を向けると、支援情報は、人口統計データ、キーワード、ユーザの好み（例えば、スポーツ、音楽、映画、政治等）を含む、いくつかのカテゴリを含んでいてもよい。各カテゴリは、１つ以上のパラメータを含んでいる。例として、支援情報は、ユーザの年齢幅と、５つのキーワードと、２つのユーザの好みとを含んでいてもよい。支援情報は、送信のために、さまざまな技術を使用して、エンコードされてもよい。いくつかの実施形態では、情報は、例えば、インデックス値、フラグ、ビットベクトル、ハッシュ、ブルームフィルタ等の、１つ以上の技術を使用して、統合された形または圧縮された形で伝えられてもよい。第１のワイヤレスノード１０２ａからブロードキャストされた支援情報は、第２のワイヤレスノード１０２ｂにより受信され、ローカルに記憶されているユーザモデルと比較される。相関ルールは、年齢幅が同じであるか否かを、ならびに、多くのキーワードおよびユーザの好みがどのくらい一致しているかを示す、相関メトリックを計算するように、第２のワイヤレスノード１０２ｂに要求してもよい。しきい値を使用して、リンクを確立するのに相関メトリックが十分であるか否かを決定してもよい。
【００２３】
相関ルールは、支援情報とともに、第１のワイヤレスノード１０２ａによりブロードキャストされてもよく、または、第２のワイヤレスノード１０２ｂにより、他の場所で取り出されてもよい。代替的に、相関ルールは、第２のワイヤレスノード１０２ｂにおいて記憶されていてもよい。しきい値もまた、支援情報とともに、第１のワイヤレスノード１０２ａによりブロードキャストされてもよく、または、第２のワイヤレスノード１０２ｂにより、他の場所で取り出されてもよく、または、第２のワイヤレスノード１０２ｂにおいて記憶されていてもよい。第１のワイヤレスノード１０２ａによりしきい値がブロードキャストされる場合に、第２のワイヤレスノード１０２ｂにより使用されるしきい値は、２つの値のうちの最大のものとすることができる。代替的に、第２のワイヤレスノード１０２ｂは、ワイヤレスリンクを確立するか否かを決定するために、ローカルに記憶されているしきい値を無視し、第１のワイヤレスノード１０２ａによりブロードキャストされたしきい値を使用してもよい。
【００２４】
代替的に、第１のワイヤレスノードおよび第２のワイヤレスノードに遠隔の中間ノードによって、捕捉手順が支援されてもよい。以下の例では、固定サイトワイヤレスノードとして、中間ノードを説明する。しかしながら、当業者が容易に正しく認識するように、中間ノードは、移動ワイヤレスノードとすることができる。図４Ａに目を向けると、相互相関プロセスを実行するために、固定サイトワイヤレスノード２０４が使用されてもよい。この例では、固定サイトワイヤレスノード２０４は、第１のワイヤレスノード１０２ａおよび第２のワイヤレスノード１０２ｂによりブロードキャストされた基準信号をデコードして、それぞれに対する支援情報を復元する。その後、固定サイトワイヤレスノード２０４は、双方のノード間にワイヤレスリンクを確立すべきか否かを決定するために、その２つのノードからの支援情報を相関させる。適切な相関ルールおよびしきい値に基づいて、十分な相関があることを、固定サイトワイヤレスノード２０４が決定した場合に、固定サイトワイヤレスノード２０４は、第１のワイヤレスノード１０２ａおよび第２のワイヤレスノード１０２ｂのうちの少なくとも１つにシグナリングする。このシグナリングに応答して、第１のワイヤレスノード１０２ａおよび／または第２のワイヤレスノード１０２ｂは、図４Ｂにおいて示されているようにワイヤレスリンクを確立するための、さまざまな捕捉手順を実現する。代替的に、固定サイトワイヤレスノード２０４は、同じアクセスメカニズムを使用して、第１のワイヤレスノード１０２ａおよび第２のワイヤレスノード１０２ｂのそれぞれとのワイヤレスリンクを確立し、その後、図４Ｃにおいて示されているように、第１のノード１０２ａと第２のノード１０２ｂとの間の間接的な接続を確立するための中継機能を提供してもよい。
【００２５】
中間遠隔ノードの別の例では、固定サイトワイヤレスノード２０４は、推移相関プロセスを実行してもよい。この例では、固定サイトワイヤレスノード２０４は、第１のワイヤレスノード１０２ａからの支援情報と、固定サイトノード２０４上に記憶されているユーザモデルとの間の第１の相関を実行する。この例では、現在の相関ルールを前提として、第１の相関に対する相関メトリックが十分である場合にのみ、固定サイトノード２０４は、双方のノードからの支援情報間の第２の相関を実行する。固定サイトワイヤレスノード２０４は、第１のワイヤレスノード１０２ａと第２のワイヤレスノード１０２ｂの間にワイヤレスリンクを確立するために、第２の相関が十分であるか否かを決定する。以前に説明したものと類似する方法で、固定サイトノード２０４からのシグナリングに応答して、さまざまな捕捉手順を使用して、第１のノード１０２ａと第２のノード１０２ｂの間に、ワイヤレスリンクが直接確立されてもよく、または、代替的に、固定サイトワイヤレスノード２０４を通して、ワイヤレスリンクが間接的に確立されてもよい。
【００２６】
捕捉手順にかかわらず、いったん、２つのワイヤレスノード間にワイヤレスリンクが確立されると、２つのワイヤレスノードは、ワイヤレスリンクを維持すべきであるか否かを決定するために、情報の相関を継続してもよい。いったん、ワイヤレスリンクが確立されると、さらに情報を相関させるための能力が、特に有用である。その理由は、基準信号中でブロードキャストできる支援情報の量が、制限されることがあるからである。例として、支援情報は、基本的な人口統計データに、および／または、いくつかのキーワードに制限されてもよい。いったん、支援情報の相関に基づいて、ワイヤレス接続が接続されると、リンクレイヤからアプリケーションレイヤまでのクロスレイヤトリガを使用して、ワイヤレスリンクを維持すべきか否かを決定するために、２つのノード間で追加のピア・ツー・ピア情報の転送を可能にしてもよい。追加情報は、さらに包括的な人口統計と、追加のキーワードと、ユーザの好みと、ユーザの行動と、他の関連情報とを含んでいてもよい。
【００２７】
したがって、説明した捕捉手順は、多くの適用に非常によく適していることがある。例は、ユーザにより所有されているピアノードのグループを含むワイヤレスパーソナルエリアネットワーク（ＷＰＡＮ）である。この例では、ＷＰＡＮ中の各ノードに対するユーザモデルが、ＷＰＡＮ中のすべてのワイヤレスノードのリストを含んでいてもよい。この例では、オンラインになっている（coming on line）ワイヤレスノードが、それ自体を識別する支援情報を持つ基準信号をブロードキャストしてもよい。ブロードキャストを受信した各ワイヤレスノードは、支援情報を復元し、支援情報を、ローカルに記憶されているユーザモデル中に含まれているリストに対して相関させて、各ワイヤレスノードが、ブロードキャスティングノードと同じユーザＷＰＡＮに属しているか否かを決定してもよい。ワイヤレスノードが、ブロードキャストされた基準信号中で受信した支援情報を、そのユーザモデルと相関させる場合に、ワイヤレスノードは、ブロードキャスティングノードとのワイヤレスリンクを確立するために、さまざまな捕捉手順を用いる。この概念は、ＷＬＡＮ内またはＷＷＡＮ内のピアノードグループに拡張されてもよい。例として、グループ中の各ノードに対するユーザモデルは、企業の従業員や、クラブのメンバーや、特定のプロバイダからのサービス（例えば、ゲーム、デート、ショッピング等）の加入者や、友人（例えば、バディーリスト）や、戦闘に携わっている軍隊の人員や、または、他の何らかの適切なグループに属している、すべてのワイヤレスノードをリストにするユーザモデルを含んでもよい。
【００２８】
先に述べたように、人口統計に基づいて、ノード間のワイヤレスリンクが確立されてもよい。例として、ユーザの、地理的なロケーション（例えば、郵便番号）や、性別や、年齢や、職業や、世帯収入や、世帯規模や、婚姻関係の有無や、世帯主等や、あるいは、それらの任意の組み合わせに基づいて、２つのワイヤレスノード間に、ワイヤレスリンクが確立されてもよい。さまざまな人口統計データおよびキーワードは、ワイヤレスノードのうちの１つによって基準信号中でブロードキャストされる支援情報中に含まれていてもよい。支援情報は、別のワイヤレスノードによって復元されてもよく、しきい値の相関値に基づいて、ローカルに記憶されているユーザモデルと相関されてもよい。
【００２９】
先に述べたような人口統計に加えて、ユーザの行動および好みに基づいて、ノード間にワイヤレスリンクが確立されてもよい。ユーザによって手動で、および／または、ワイヤレスノード上のさまざまなアプリケーションの使用を監視することによって動的に、ユーザモデルが生成されてもよい。どのアプリケーションをユーザが起動したか、ならびに、彼または彼女が、アプリケーションとどのように対話しているかを監視することにより、
後者が達成されてもよい。例として、それらのユーザが、類似する音楽の興味を有しているか、または、同じゲームをプレイして楽しんでいる２つのノード間に、ワイヤレスリンクが確立されてもよい。支援情報中に含まれてもよい、ユーザの好みおよび行動の情報のタイプは、例として、キーワードや、プレイされている歌や、訪れたウェブサイトや、プレイしているゲームや、Ｅコマース取引等を含む。
【００３０】
ワイヤレスノード上に記憶されているユーザモデル情報は、各ワイヤレスノード上に記憶されているユーザモデルに基づいてターゲットコンテンツ情報を配信するためにも、使用されてもよい。図５Ａに目を向けると、ターゲットコンテンツメッセージとともにメタデータをブロードキャストするために、ＷＷＡＮ２０６が使用されてもよい。メタデータは、メッセージに対する、コンテンツ、および、ターゲットオーディエンスの人口統計を識別する。例として、メタデータは、メッセージがスポーツに向けられており、ターゲット人口統計が、スポーツファンの成人男性であることを示してもよい。代替的に、メタデータは、メッセージが、経済のニュース、政治、宗教、天気、道路状況、エンターテインメント等に向けられており、ターゲット人口統計が、年齢、性別、職業、収入、住所、趣味等を含んでもよいことを示していてもよい。
【００３１】
ネットワーク１００中の第１のワイヤレスノード１０２ａは、メタデータを使用して、ターゲットコンテンツメッセージを選択してもよい。さらに詳細には、第１のワイヤレスノード１０２ａは、適切な相関ルールおよびしきい値を使用して、ターゲットコンテンツメッセージに対するメタデータを、そのローカルに記憶されているユーザモデルと相関させて、十分な相関を持つメッセージを選択してもよい。選択したメッセージは、ワイヤレスノード１０２ａ上のユーザインターフェース（例えば、ディスプレイ）に提示されてもよい。代替的に、または、加えて、選択したメッセージは、ユーザインターフェースを介してのユーザへの後の提示のために、キャッシュ中に記憶されてもよい。
【００３２】
メタデータは、ターゲットコンテンツメッセージとともに、第１のワイヤレスノード１０２ａにより、キャッシュ中に記憶されてもよい。その後、ネットワーク中の他のノードにターゲットコンテンツメッセージを配信するために、第１のワイヤレスノード１０２ａによりメタデータが使用されてもよい。ワイヤレスネットワークの１つのコンフィギュレーションでは、ＷＷＡＮ２０６に対するネットワークオペレータは、ターゲットコンテンツメッセージを転送するために、第１のワイヤレスノード１０２ａに経済的なインセンティブを提供することがある。例として、ネットワークオペレータは、ターゲットコンテンツメッセージに対するパイプを他のワイヤレスノードに進んで提供しようとするワイヤレスノードに、ディスカウントされたワイヤレスサービスを提供する。ワイヤレスノードにより転送されるターゲットコンテンツメッセージ（例えば、広告）を通してネットワークオペレータが発生させる収益により、このようなサービスに通常関係付けられている正規の売出価格を支払わなくとも、これらのワイヤレスノードに、ネットワークオペレータがサービスを提供することが可能になることがある。
【００３３】
第１のワイヤレスノード１０２ａによりターゲットコンテンツメッセージが配信される方法は、変化することがある。例として、第２のワイヤレスノード１０２ｂは、図５Ａにおいて示されているように、支援情報を含む基準信号をブロードキャストしてもよい。以前に説明したように、第１のワイヤレスノード１０２ａは、ブロードキャストから支援情報を復元して、支援情報を、適切な相関ルールおよびしきい値に基づいて、そのローカルに記憶されているユーザモデルと相関させてもよい。支援情報と、そのユーザモデルとの間に十分な相関があることを、第１のワイヤレスノード１０２ａが決定した場合に、第１のワイヤレスノード１０２ａは、第２のワイヤレスノード１０２ｂによりブロードキャストされた基準信号から復元した支援情報を、第１のワイヤレスノード１０２ａにより記憶されているメタデータと相関させてもよい。さまざまな相関ルールおよびしきい値をまた使用して、この相関を実行してもよい。支援情報と、ターゲットコンテンツメッセージに対するメタデータとの間に十分な相関があることを、第１のワイヤレスノード１０２ａが決定した場合に、図５Ｂにおいて示されているように、さまざまな捕捉手順により、第２のワイヤレスノード１０２ｂとのワイヤレスリンクを確立して、関連するメタデータを配信する。第２のワイヤレスノード１０２ｂは、そのローカルに記憶されているユーザモデルとメタデータを相関させることにより、第２のワイヤレスノード１０２ｂが望むメタデータのサブセットを、第１のワイヤレスノード１０２ａに提供する。その後、第１のワイヤレスノード１０２ａは、第２のワイヤレスノード１０２ｂから受信したメタデータのサブセットに対応するターゲットコンテンツメッセージを送る。
【００３４】
代替的に、第１のワイヤレスノード１０２ａは、第１のワイヤレスノードのローカルに記憶されているユーザモデルと支援情報が相関するか否かにかかわらず、第２のワイヤレスノード１０２ｂによりブロードキャストされた基準信号から復元した支援情報を、記憶しているメタデータと相関させてもよい。さまざまな相関ルールおよびしきい値に基づいて、支援情報と、ターゲットコンテンツメッセージに対するメタデータとの間に十分な相関があることを、第１のワイヤレスノード１０２ａが決定した場合に、第２のワイヤレスノード１０２ｂとのワイヤレスリンクを確立して、関連するメタデータを配信してもよい。第２のワイヤレスノード１０２ｂは、そのローカルに記憶されているユーザモデルとメタデータを相関させることにより、第２のワイヤレスノード１０２ｂが望むメタデータのサブセットを、第１のワイヤレスノード１０２ａに提供する。その後、第１のワイヤレスノード１０２ａは、第２のワイヤレスノード１０２ｂから受信したメタデータのサブセットに対応するターゲットコンテンツメッセージを送る。
【００３５】
先行する例では、ターゲットコンテンツメッセージは、ＷＷＡＮ２０６から送られ、その後、相関の一致に基づいて、第１のワイヤレスノード１０２ａから第２のワイヤレスノード１０２ｂに配信されている。代替的に、ターゲットコンテンツメッセージは、第１のワイヤレスノード１０２ａと第２のワイヤレスノード１０２ｂとの間の相関の一致に続いて、ＷＷＡＮ２０６から取り出されてもよい。この例では、第２のワイヤレスノード１０２ｂが、支援情報を含む基準信号をブロードキャストする。先に説明したように、第１のワイヤレスノード１０２ａは、ブロードキャストから支援情報を復元して、支援情報を、適切な相関ルールおよびしきい値に基づいて、そのローカルに記憶されているユーザモデルと相関させる。支援情報と、そのユーザモデルとの間に十分な相関があることを、第１のワイヤレスノード１０２ａが決定した場合に、第１のワイヤレスノード１０２ａは、第２のワイヤレスノード１０２ｂによりブロードキャストされた基準信号から復元した支援情報を、ＷＷＡＮ２０６によりブロードキャストされたターゲットコンテンツメッセージに対するメタデータと相関させる。支援情報とメタデータとの間に十分な相関があることを、第１のワイヤレスノード１０２ａが決定した場合に、さまざまな捕捉手順により、第２のワイヤレスノード１０２ｂとのワイヤレスリンクを確立して、関連するメタデータを配信する。第２のワイヤレスノード１０２ｂは、そのローカルに記憶されているユーザモデルとメタデータを相関させることにより、第２のワイヤレスノード１０２ｂが望むメタデータのサブセットを、第１のワイヤレスノード１０２ａに提供する。その後、第１のワイヤレスノード１０２ａは、メタデータのサブセットに対応するターゲットコンテンツメッセージをＷＷＡＮ２０６から取り出し、ワイヤレスリンクを通して、第２のワイヤレスノード１０２ｂにターゲットコンテンツメッセージを提供する。
【００３６】
代替的に、第１のワイヤレスノード１０２ａは、第１のワイヤレスノードのローカルに記憶されているユーザモデルと支援情報が相関するか否かにかかわらず、第２のワイヤレスノード１０２ｂによりブロードキャストされた基準信号から復元した支援情報を、ＷＷＡＮ２０６によりブロードキャストされたターゲットコンテンツメッセージに対するメタデータと相関させてもよい。支援情報と、ターゲットコンテンツメッセージに対するメタデータとの間に十分な相関があることを、第１のワイヤレスノード１０２ａが決定した場合に、第２のワイヤレスノード１０２ｂとのワイヤレスリンクを確立して、関連するメタデータを配信してもよい。第２のワイヤレスノード１０２ｂは、そのローカルに記憶されているユーザモデルとメタデータを相関させることにより、第２のワイヤレスノード１０２ｂが望むメタデータのサブセットを、第１のワイヤレスノード１０２ａに提供する。その後、第１のワイヤレスノード１０２ａは、メタデータのサブセットに対応するターゲットコンテンツメッセージをＷＷＡＮ２０６から取り出し、ワイヤレスリンクを通して、第２のワイヤレスノード１０２ｂにターゲットコンテンツメッセージを提供する。
【００３７】
図６は、ワイヤレスノード１０２に対するハードウェアコンフィギュレーションの例を示す概念である。この例では、ユーザインターフェース６０６（例えば、キーパッド、ディスプレイ、スピーカー、マイクロフォン、ジョイスティック、および／または、ユーザインターフェースデバイスの他の何らかの組み合わせ）と、処理システム６０４と、ワイヤレスインターフェース６０２とを持つワイヤレスノード１０２が示されている。処理システム６０４は、プロセッサ６１０により一般的に表されている１つ以上のプロセッサと、コンピュータ読取可能媒体（例えば、メモリ）６１２とを有していてもよい。
【００３８】
プロセッサシステム６０４は、ソフトウェア、ハードウェア、または、双方の組み合わせを使用して、実現されてもよい。例として、プロセッサ６１０は、マイクロプロセッサや、デジタル信号プロセッサ（ＤＳＰ）や、特定用途向け集積回路（ＡＳＩＣ）や、マイクロ制御装置や、プログラマブル論理や、状態機械や、ディスクリートゲートや、トランジスタ論理や、ディスクリートハードウェアコンポーネントや、または、本開示全体を通して提示されているさまざまな機能を実行するように設計されている他の何らかの処理エンティティのうちの１つ以上、あるいは、これらの任意の組み合わせにより、実現されてもよい。特定の応用およびシステム全体に課せられた全体的な設計の制約に依存して、処理システム６０４に対して説明する機能性を実現する最良の方法を、当業者は認識するだろう。
【００３９】
処理システムのさまざまなコンフィギュレーションは、ソフトウェアを実行することが可能な１つ以上のプロセッサを含んでもよい。ソフトウェアは、ソフトウェア、ファームウェア、ミドルウェア、マイクロコード、ハードウェア記述言語、または、その他のものと呼ばれようとも、命令、データ、または、それらの任意の組み合わせを意味するように、広く解釈されるだろう。ソフトウェアは、コンピュータ読取可能媒体６１２上に記憶されてもよく、コンピュータ読取可能媒体６１２は、ＲＡＭ（ランダムアクセスメモリ）、フラッシュメモリ、ＲＯＭ（リードオンリーメモリ）、ＰＲＯＭ（プログラマブルリードオンリーメモリ）、ＥＰＲＯＭ（消去可能プログラマブルリードオンリーメモリ）、ＥＥＰＲＯＭ（電気的に消去可能なプログラマブルリードオンリーメモリ）、レジスタ、磁気ディスク、光ディスク、ハードドライブ、または、他の何らかの適切な記憶媒体、あるいは、これらの任意の組み合わせにより、実現されてもよい。コンピュータ読取可能媒体は、コンピュータプロダクト中で具現化されてもよい。コンピュータプロダクトは、パッケージングマテリアルを含んでもよい。
【００４０】
図６において提示されている概念の例示では、プロセッサ６１０から分離されている、処理システム６０４の一部として、コンピュータ読取可能媒体６１２が示されている。しかしながら、当業者が容易に正しく認識するように、コンピュータ読取可能媒体６１２、または、その何らかの一部は、処理システム６０４の外部にあってもよい。例として、コンピュータ読取可能媒体６１２は、伝送路、データにより変調された搬送波、および／または、ワイヤレスノード１０２から分離されたコンピュータプロダクトを含んでもよく、そのすべては、ワイヤレスインターフェース６０２を通してか、または、他の何らかの手段によって、プロセッサ６１０によりアクセスできる。代替的に、または、加えて、コンピュータ読取可能媒体６１２、または、その何らかの一部は、キャッシュおよび／または汎用レジスタファイルのケースのように、プロセッサ６１０中に統合されてもよい。
【００４１】
ワイヤレスインターフェース６０２は、送信機能および／または受信機能を提供してもよい。送信機能は、ワイヤレス媒体を通しての送信のためのデータにより搬送波を変調し、受信機能は、ワイヤレス媒体を通して受信した搬送波を復調して、データを復元する。ワイヤレスインターフェース６０２はまた、ＲＦフロントエンド処理や、アナログ／デジタル変換や、タイミングおよび周波数の推定や、チャネル推定や、変調コーディングスキーム（ＭＣＳ）等のような、他のさまざまな機能も提供してもよい。要約すると、ワイヤレスインターフェース６０２は、特定のエアインターフェースプロトコルに対して、完全な物理レイヤ構成を提供するように、構成されていてもよい。構成は、当業者の能力内に十分にある。
【００４２】
プロセッサ６１０は、コンピュータ読取可能媒体６１２上に記憶されているソフトウェアの実行を含む、一般的な処理機能を提供する。ソフトウェアは、プロセッサ６１０により実行されたときに、本開示全体を通して提示されているさまざまな機能を、処理システム６０４に実行させる命令を含んでいる。最も一般的に言うと、処理システム６０４は、物理レイヤより上のすべての機能性を実現するように構成されているが、当業者が正しく認識するように、物理レイヤより上のさまざまな機能は、ワイヤレスインターフェース６０２においても実現されてもよい。さらに、ワイヤレスインターフェース６０２により実現されるとして上述したさまざまな物理レイヤ機能は、処理システム６０４により実現されてもよい。
【００４３】
図７〜図９を参照して、ソフトウェア中の処理システムにより実現されてもよいさまざまな機能の例を、ここで提示するだろう。
【００４４】
図７を参照すると、ワイヤレスノードが、遠隔ワイヤレスノードとのワイヤレスリンクを確立することができるように、処理システムが使用されてもよい。代替的に、または、加えて、２つの遠隔ワイヤレスノード間でのワイヤレスリンクの確立を促進するために、処理システムが使用されてもよい。双方のケースでは、ステップ７０２において、遠隔ワイヤレスノードによりブロードキャストされた基準信号から、支援情報を復元してもよく、ステップ７０４において、支援情報と情報を相関させてもよい。
【００４５】
ワイヤレスノードが、遠隔ワイヤレスノードとのワイヤレスリンクを確立することができるように、処理システムが使用されるケースでは、情報は、ワイヤレスノードに対するユーザモデルを含んでいる。このケースでは、ステップ７０６において、ユーザモデルと支援情報との間の相関に少なくとも部分的に基づいて、遠隔ワイヤレスノードが、ワイヤレスノードとのワイヤレスリンクを確立すべきか否かを、処理システムが決定する。処理システムはまた、ステップ７０８において、ワイヤレスリンクを通して遠隔ノードから受信した追加の支援情報と、ユーザモデルとの間のさらなる相関に少なくとも部分的に基づいて、ワイヤレスリンクを維持するか否かを決定してもよい。
【００４６】
ワイヤレスノードが、遠隔ワイヤレスノードと、別の遠隔ワイヤレスノードとの間でのワイヤレスリンクの確立を促進することができるように、処理システムが使用されるケースでは、情報は、ワイヤレスノードに対するユーザモデル情報か、または、他の遠隔ワイヤレスノードからの支援情報のいずれかであってもよい。後者のケースでは、ステップ７１０において、遠隔ワイヤレスノードに対する支援情報と、他の遠隔ワイヤレスノードに対する支援情報との間の相関に少なくとも部分的に基づいて、遠隔ワイヤレスノードが、他の遠隔ワイヤレスノードとのワイヤレスリンクを確立すべきか否かを、処理システムが決定する。前者のケースでは、処理システムは、ステップ７１２において、他の遠隔ワイヤレスノードからの支援情報とユーザモデルを相関させ、ステップ７１４において、遠隔ワイヤレスノードが、双方の相関に基づいて、他のワイヤレスノードとのワイヤレスリンクを確立すべきか否かを決定する。
【００４７】
遠隔ワイヤレスノードと、他の遠隔ワイヤレスノードとの間にワイヤレスリンクを確立すべきであると処理システムが決定した場合に、処理システムは、ステップ７１６において、双方のノードにシグナリングして、リンクを確立する。いったん確立されると、処理システムは、ステップ７１８において、２つの間のワイヤレスリンクをサポートする。
【００４８】
図８を参照して、相関処理システムの例をここで提示するだろう。この例では、処理システムは、ステップ８０２において、第１のしきい値を記憶し、ステップ８０４において、支援情報から第２のしきい値を復元し、ステップ８０６において、相関しきい値として使用するために、第１のしきい値および第２のしきい値のうちの１つを選択する。処理システムはまた、ステップ８０８において、支援情報から相関ルールを復元し、ステップ８１０において、相関ルールに基づいて、相関メトリックを計算し、ステップ８１２において、計算した相関メトリックと、相関しきい値とを比較する。相関の成功は、比較により決定される。
【００４９】
処理システムは、他のワイヤレスノードにターゲットコンテンツ情報を配信するためにも使用されてもよい。図９に目を向けると、ステップ９０２において、遠隔ワイヤレスノードによりブロードキャストされた基準信号から、支援情報を復元してもよく、ステップ９０４において、支援情報と情報を相関させてもよい。１つのコンフィギュレーションでは、情報は、ターゲットコンテンツメッセージに対するメタデータであり、処理システムは、ステップ９０６において、メタデータと支援情報との間の相関に少なくとも部分的に基づいて、ワイヤレスリンクを確立するか否かを決定する。別のコンフィギュレーションでは、情報は、ワイヤレスノードに対するユーザモデルであり、処理システムは、ユーザモデルと支援情報との間の相関がステップ９０４において成功した場合に、ステップ９０８において、支援情報と、ターゲットコンテンツメッセージに対するメタデータを相関させる。処理システムは、ステップ９１０において、メタデータと支援情報との間の相関に少なくとも部分的に基づいて、遠隔ワイヤレスノードが、ワイヤレスノードとのワイヤレスリンクを確立すべきか否かを決定する。ワイヤレスリンクが確立された場合に、処理システムは、ステップ９１２において、支援情報に相関するメタデータを、ワイヤレスリンクを通して、遠隔ワイヤレスノードに提供し、ステップ９１４において、ワイヤレスリンクを通して提供されたメタデータのサブセットを示す信号を、遠隔ワイヤレスノードから受信し、ステップ９１６において、メタデータのサブセットに対応するターゲットコンテンツメッセージのうちの１つ以上を、ワイヤレスリンクを通して、遠隔ワイヤレスノードに提供する。
【００５０】
ソフトウェアの文脈で説明したステップの何らかの特定の順序またはヒエラルキーは、ワイヤレスノードの例を提供するために提示されていることが理解される。設計の好みに基づいて、追加のステップが追加されてもよい、および／または、何らかのステップが削除されてもよいことが理解される。加えて、ステップの特定の順序またはヒエラルキーは、再構成されてもよい。
【００５１】
ワイヤレスノードのさまざまな態様は、ソフトウェア構成として説明されているが、本開示全体を通して提示したさまざまなソフトウェアプロセスが、ハードウェアで、または、ソフトウェアとハードウェアの何らかの組み合わせで実現されてもよいことを、当業者は容易に正しく認識するだろう。これらの態様が、ハードウェアまたはソフトウェアで実現されるか否かは、特定の応用およびシステム全体に課せられた設計の制約に依存する。当業者は、各特定の応用に対して方法を変化させて、説明した機能性を実現してもよい。
【００５２】
図１０は、ネットワーク中の第１のワイヤレスノードおよび第２のワイヤレスノードに対する例示的なプロトコルスタックを示す概念図である。第１のワイヤレスノード１０２ａは、物理レイヤ１００２と、ＭＡＣレイヤ１００４と、アプリケーションレイヤ１００６とを含む。同様に、第２のワイヤレスノード１０２ｂは、物理レイヤ１００２と、ＭＡＣレイヤ１００４と、アプリケーションレイヤ１００６とを含む。特定の応用およびシステムに課せられた全体的な設計の制約に依存して、プロトコルスタックは、追加レイヤを含んでもよい。
【００５３】
第１のワイヤレスノード１０２ａの１つのコンフィギュレーションでは、ＭＡＣレイヤ１００４は、基準信号を発生させるために使用されてもよい。先に詳細に説明したように、基準信号は、支援情報と、いくつかのケースでは、相関ルールおよび／またはしきい値を含んでもよい。基準信号は、ＭＡＣヘッダとＭＡＣペイロードとを有するＭＡＣパケットを含んでもよい。ＭＡＣヘッダ中のビットまたはフィールドを使用して、支援情報、相関ルール、および／または、しきい値を含むようにＭＡＣペイロードを拡張してもよい。支援情報、相関ルール、および／または、しきい値は、ＭＡＣペイロードの終わりにおいて含まれてもよく、あるいは、ＭＡＣパケット中の他の場所に含まれてもよい。例えば、支援情報の始まりにおける１組のビットまたはフィールドを使用して、支援情報によって占められるバイトの数を示してもよい。同じスキームを使用して、相関ルールとしきい値により占められるバイトの数を示してもよい。ネットワーク中にブロードキャストされる前に処理するために、ＭＡＣパケットが物理レイヤ１００２に提供されてもよい。
【００５４】
第２のワイヤレスノード１０２ｂは、ブロードキャストを受信して、ＭＡＣパケットを復元するための物理レイヤ１００２における処理を実行し、ＭＡＣパケットをＭＡＣレイヤ１００４に提供する。ＭＡＣヘッダが、支援情報、相関ルール、および／または、しきい値を持つ拡張されたペイロードを示している場合には、コンピュータ読取可能媒体６１２（図６参照）中に記憶されているユーザモデル（または、メタデータ）との相関のために、ＭＡＣパケットからこのデータが復元され、アプリケーションレイヤ１００６に提供される。以前に論じたように、ユーザモデルは、ワイヤレスノード１０２ｂ中にプログラムされていてもよく、ユーザインターフェース６０６（図６参照）を介して入力されてもよく、および／または、アプリケーションの使用とインターネットトラフィック（例えば、訪れたウェブサイト、Ｅコマース取引等）を監視するための、アプリケーションレイヤ１００６において実行するデータマイニングソフトウェアにより、動的に生成されてもよい。代替的に、データマイニングソフトウェアは、アプリケーションレイヤ１００６より下で、例えば、（示されていない）ネットワークレイヤで、実行されてもよく、および／または、ユーザにより起動されたさまざまなアプリケーションに対するコード中に含められてもよい。何らかのイベントにおいて、相関が十分であると第２のワイヤレスノード１０２ｂが決定した場合に、さまざまなＭＡＣレイヤプロトコルを使用して、ワイヤレスリンクを確立してもよい。ＭＡＣレイヤ１００４からアプリケーションレイヤ１００６までのクロスレイヤトリガは、ピア・ツー・ピア通信をイネーブルして、さらなる相関を実行するか、または、通信するかのいずれかのために、トリガされてもよい。
【００５５】
図１１は、ワイヤレスノードの機能性の例を示す概念図である。ワイヤレスノードは、遠隔ワイヤレスノードからの観測された支援情報と、情報を相関させるモジュール１１０２と、相関に少なくとも部分的に基づいて、遠隔ワイヤレスノードがワイヤレスリンクを確立すべきであるか否かを決定するモジュール１１０４とを含む。
【００５６】
先の説明は、ここで説明したさまざまな態様を、任意の当業者が実施できるように提供されている。これらの態様に対するさまざまな改良は、当業者に容易に明らかになるであろう。そして、ここで規定されている一般的な原理は、他の態様に適用されてもよい。したがって、特許請求の範囲は、ここに示された態様に限定されることを意図するものではなく、特許請求の範囲の文言と矛盾しない全範囲に一致させるべきである。要素への単数での言及は、“１つおよび１つのみ”と特に述べられていない限り、“１つおよび１つのみ”を意味することを意図しているのではなく、むしろ“１つ以上の”を意味することを意図している。そうでないことが特に述べられていない限り、用語“いくつかの”は“１つ以上の”ことを指す。当業者に知られている、または、後に知られることになる、本開示全体で説明されているさまざまな態様の要素に対するすべての構造的および機能的な均等物は、ここで参照により明確に組み込まれ、特許請求の範囲に含まれることを意図している。さらに、ここで開示したものは、このような開示が特許請求の範囲中に明示的に規定されているか否かにかかわらず、公共に捧げられることを意図していない。どの請求項の要素も、要素が“ミーンズフォー”というフレーズを使用して明確に規定されない限り、または、方法の請求項のケースでは、要素が“ステップフォー”というフレーズを使用して規定されない限り、合衆国法典第３５部第１１２条第６パラグラフの規定のもとで解釈すべきではない。
以下に、出願当初の特許請求の範囲に記載された発明を付記する。
［Ｃ１］
ワイヤレスノードにおいて、
遠隔ワイヤレスノードからの観測された支援情報と情報を相関させるようにと、
前記相関に少なくとも部分的に基づいて、前記遠隔ワイヤレスノードが、ワイヤレスリンクを確立すべきか否かを決定するように構成されている処理システムを具備するワイヤレスノード。
［Ｃ２］
前記情報は、前記ワイヤレスノードに対するユーザモデルを含み、前記処理システムは、前記遠隔ワイヤレスノードが、前記ワイヤレスノードとの前記ワイヤレスリンクを確立すべきか否かを決定するようにさらに構成されているＣ１記載のワイヤレスノード。
［Ｃ３］
前記情報は、別の遠隔ワイヤレスノードからの観測された支援情報を含み、前記処理システムは、前記遠隔ワイヤレスノードが、前記別の遠隔ワイヤレスノードとの前記ワイヤレスリンクを確立すべきか否かを決定するようにさらに構成されているＣ１記載のワイヤレスノード。
［Ｃ４］
前記情報は、前記ワイヤレスノードに対するユーザモデルを含み、前記処理システムは、別の遠隔ワイヤレスノードからの観測された支援情報と前記情報を相関させるようにさらに構成されており、前記処理システムは、前記別の遠隔ワイヤレスノードからの観測された支援情報と前記情報との前記相関に少なくとも部分的に基づいて、前記遠隔ワイヤレスノードが、前記別の遠隔ワイヤレスノードとの前記ワイヤレスリンクを確立すべきか否かを決定するようにさらに構成されているＣ１記載のワイヤレスノード。
［Ｃ５］
前記処理システムは、前記情報が、前記別の遠隔ワイヤレスノードからの観測された支援情報と相関している場合に、前記遠隔ワイヤレスノードからの観測された支援情報と、前記別の遠隔ワイヤレスノードからの観測された支援情報とを相関させるようにさらに構成されており、前記処理システムは、前記遠隔ワイヤレスノードからの観測された支援情報と、前記別の遠隔ワイヤレスノードからの観測された支援情報との相関に少なくとも部分的に基づいて、前記遠隔ワイヤレスノードが、前記別の遠隔ワイヤレスノードとの前記ワイヤレスリンクを確立すべきか否かを決定するようにさらに構成されているＣ４記載のワイヤレスノード。
［Ｃ６］
前記処理システムは、前記遠隔ワイヤレスノードと別の遠隔ワイヤレスノードとの間のワイヤレスリンクをサポートするようにさらに構成されているＣ１記載のワイヤレスノード。
［Ｃ７］
前記処理システムは、前記遠隔ワイヤレスノードと別の遠隔ワイヤレスノードとにシグナリングして、前記遠隔ワイヤレスノードと、前記別の遠隔ワイヤレスノードとの間の前記ワイヤレスリンクを確立するようにさらに構成されているＣ１記載のワイヤレスノード。
［Ｃ８］
前記処理システムは、前記遠隔ノードによりブロードキャストされた基準から前記支援情報を復元するようにさらに構成されているＣ１記載のワイヤレスノード。
［Ｃ９］
前記支援情報は、前記遠隔ワイヤレスノードに対するユーザモデルの一部を含むＣ１記載のワイヤレスノード。
［Ｃ１０］
前記処理システムは、相関ルールに基づいて相関メトリックを計算することと、前記計算した相関メトリックと相関しきい値とを比較することとにより、前記情報と前記支援情報を相関させるようにさらに構成されているＣ１記載のワイヤレスノード。
［Ｃ１１］
前記処理システムは、前記支援情報から前記相関ルールを復元するようにさらに構成されているＣ１０記載のワイヤレスノード。
［Ｃ１２］
前記処理システムは、前記支援情報から前記相関しきい値を復元するようにさらに構成されているＣ１０記載のワイヤレスノード。
［Ｃ１３］
前記処理システムは、第１のしきい値を記憶するようにと、前記支援情報から第２のしきい値を復元するようにさらに構成されており、前記処理システムは、前記計算した相関メトリックと比較するための前記相関しきい値として使用するために、前記第１のしきい値および前記第２のしきい値のうちの１つを選択するようにさらに構成されているＣ１０記載のワイヤレスノード。
［Ｃ１４］
前記遠隔ワイヤレスノードと前記ワイヤレスノードとの間で前記ワイヤレスリンクが確立された場合に、前記処理システムは、前記情報と、前記ワイヤレスリンクを通して前記遠隔ノードから受信した追加の支援情報との間のさらなる相関に少なくとも部分的に基づいて、前記ワイヤレスリンクを維持するか否かを決定するようにさらに構成されているＣ１記載のワイヤレスノード。
［Ｃ１５］
前記情報は、前記ワイヤレスノードに対するユーザモデルを含み、前記ユーザモデルは、ユーザの人口統計と、ユーザの好みとを含むＣ１記載のワイヤレスノード。
［Ｃ１６］
前記情報は、前記ワイヤレスノードに対するユーザモデルを含み、前記ユーザモデルは、キーワードを含むＣ１記載のワイヤレスノード。
［Ｃ１７］
前記情報は、前記ワイヤレスノードに対するユーザモデルを含み、前記処理システムは、ユーザの行動に少なくとも部分的に基づいて、前記ユーザモデルを生成して維持するようにさらに構成されているＣ１記載のワイヤレスノード。
［Ｃ１８］
前記情報は、複数のターゲットコンテンツメッセージに対するメタデータを含むＣ１記載のワイヤレスノード。
［Ｃ１９］
前記情報は、前記ワイヤレスノードに対するユーザモデルを含み、前記処理システムは、前記観測された支援情報が前記ユーザモデルと相関している場合に、前記観測された支援情報と、複数のターゲットコンテンツメッセージに対するメタデータを相関させるようにさらに構成されており、前記処理システムは、前記メタデータと前記観測された支援情報との間の相関に少なくとも部分的に基づいて、前記ワイヤレスリンクを確立するか否かを決定するようにさらに構成されているＣ１記載のワイヤレスノード。
［Ｃ２０］
前記情報は、複数のターゲットコンテンツメッセージに対するメタデータを含み、または、前記処理システムは、前記情報と前記観測された支援情報との相関に続いて、前記観測された支援情報と、複数のターゲットコンテンツメッセージに対するメタデータを相関させるようにさらに構成されており、前記処理システムが、前記ワイヤレスリンクを確立することを決定した場合に、前記処理システムは、前記観測された支援情報に相関しているメタデータを、前記ワイヤレスリンクを通して、前記遠隔ワイヤレスノードに提供するようにさらに構成されているＣ１記載のワイヤレスノード。
［Ｃ２１］
前記処理システムは、前記ワイヤレスリンクを通して提供されたメタデータのサブセットを示す信号を、前記遠隔ワイヤレスノードから受信するようにと、前記メタデータの前記サブセットに対応する前記ターゲットコンテンツメッセージのうちの１つ以上を、前記ワイヤレスリンクを通して、前記遠隔ワイヤレスノードに提供するようにさらに構成されているＣ２０記載のワイヤレスノード。
［Ｃ２２］
ワイヤレスノードにおいて、
遠隔ワイヤレスノードからの観測された支援情報と情報を相関させる第１の手段と、
前記相関に少なくとも部分的に基づいて、前記遠隔ワイヤレスノードが、ワイヤレスリンクを確立すべきか否かを決定する第２の手段とを具備するワイヤレスノード。
［Ｃ２３］
前記情報は、前記ワイヤレスノードに対するユーザモデルを含み、前記第２の手段は、前記遠隔ワイヤレスノードが、前記ワイヤレスノードとの前記ワイヤレスリンクを確立すべきか否かを決定するように構成されているＣ２２記載のワイヤレスノード。
［Ｃ２４］
前記情報は、別の遠隔ワイヤレスノードからの観測された支援情報を含み、前記第２の手段は、前記遠隔ワイヤレスノードが、前記別の遠隔ワイヤレスノードとの前記ワイヤレスリンクを確立すべきか否かを決定するように構成されているＣ２２記載のワイヤレスノード。
［Ｃ２５］
前記情報は、前記ワイヤレスノードに対するユーザモデルを含み、前記ワイヤレスノードは、別の遠隔ワイヤレスノードからの観測された支援情報と前記情報を相関させる手段をさらに具備し、前記第２の手段は、前記別の遠隔ワイヤレスノードからの観測された支援情報と前記情報との前記相関に少なくとも部分的に基づいて、前記遠隔ワイヤレスノードが、前記別の遠隔ワイヤレスノードとの前記ワイヤレスリンクを確立すべきか否かを決定するように構成されているＣ２２記載のワイヤレスノード。
［Ｃ２６］
前記情報が、前記別の遠隔ワイヤレスノードからの観測された支援情報と相関している場合に、前記遠隔ワイヤレスノードからの観測された支援情報と、前記別の遠隔ワイヤレスノードからの観測された支援情報とを相関させる手段をさらに具備し、前記第２の手段は、前記遠隔ワイヤレスノードからの観測された支援情報と、前記別の遠隔ワイヤレスノードからの観測された支援情報との相関に少なくとも部分的に基づいて、前記遠隔ワイヤレスノードが、前記別の遠隔ワイヤレスノードとの前記ワイヤレスリンクを確立すべきか否かを決定するようにさらに構成されているＣ２５記載のワイヤレスノード。
［Ｃ２７］
前記遠隔ワイヤレスノードと別の遠隔ワイヤレスノードとの間のワイヤレスリンクをサポートする手段をさらに具備するＣ２２記載のワイヤレスノード。
［Ｃ２８］
前記遠隔ワイヤレスノードと別の遠隔ワイヤレスノードとにシグナリングして、前記遠隔ワイヤレスノードと、前記別の遠隔ワイヤレスノードとの間の前記ワイヤレスリンクを確立する手段をさらに具備するＣ２２記載のワイヤレスノード。
［Ｃ２９］
前記遠隔ノードによりブロードキャストされた基準から前記支援情報を復元する手段をさらに具備するＣ２２記載のワイヤレスノード。
［Ｃ３０］
前記支援情報は、前記遠隔ワイヤレスノードに対するユーザモデルの一部を含むＣ２２記載のワイヤレスノード。
［Ｃ３１］
前記第１の手段は、相関ルールに基づいて相関メトリックを計算することと、前記計算した相関メトリックと相関しきい値とを比較することとにより、前記情報と前記支援情報を相関させるように構成されているＣ２２記載のワイヤレスノード。
［Ｃ３２］
前記支援情報から前記相関ルールを復元する手段をさらに具備するＣ３１記載のワイヤレスノード。
［Ｃ３３］
前記支援情報から前記相関しきい値を復元する手段をさらに具備するＣ３１記載のワイヤレスノード。
［Ｃ３４］
第１のしきい値を記憶する手段と、前記支援情報から第２のしきい値を復元する手段と、前記計算した相関メトリックと比較するための前記相関しきい値として使用するために、前記第１のしきい値および前記第２のしきい値のうちの１つを選択する手段とをさらに具備するＣ３１記載のワイヤレスノード。
［Ｃ３５］
前記遠隔ワイヤレスノードと前記ワイヤレスノードとの間で前記ワイヤレスリンクが確立された場合に、前記ワイヤレスノードは、前記情報と、前記ワイヤレスリンクを通して前記遠隔ノードから受信した追加の支援情報との間のさらなる相関に少なくとも部分的に基づいて、前記ワイヤレスリンクを維持するか否かを決定する手段をさらに具備するＣ２２記載のワイヤレスノード。
［Ｃ３６］
前記情報は、前記ワイヤレスノードに対するユーザモデルを含み、前記ユーザモデルは、ユーザの人口統計と、ユーザの好みとを含むＣ２２記載のワイヤレスノード。
［Ｃ３７］
前記情報は、前記ワイヤレスノードに対するユーザモデルを含み、前記ユーザモデルは、キーワードを含むＣ２２記載のワイヤレスノード。
［Ｃ３８］
前記情報は、前記ワイヤレスノードに対するユーザモデルを含み、前記ワイヤレスノードは、ユーザの行動に少なくとも部分的に基づいて、前記ユーザモデルを生成して維持する手段をさらに具備するＣ２２記載のワイヤレスノード。
［Ｃ３９］
前記情報は、複数のターゲットコンテンツメッセージに対するメタデータを含むＣ２２記載のワイヤレスノード。
［Ｃ４０］
前記情報は、前記ワイヤレスノードに対するユーザモデルを含み、前記ワイヤレスノードは、前記観測された支援情報が前記ユーザモデルと相関している場合に、前記観測された支援情報と、複数のターゲットコンテンツメッセージに対するメタデータを相関させる手段をさらに具備し、前記第２の手段は、前記メタデータと前記観測された支援情報との間の相関に少なくとも部分的に基づいて、前記ワイヤレスリンクを確立するか否かを決定するように構成されているＣ２２記載のワイヤレスノード。
［Ｃ４１］
前記情報は、複数のターゲットコンテンツメッセージに対するメタデータを含み、または、前記ワイヤレスノードは、前記情報と前記観測された支援情報との相関に続いて、前記観測された支援情報と、複数のターゲットコンテンツメッセージに対するメタデータとを相関させる手段をさらに具備し、前記第２の手段が、前記ワイヤレスリンクを確立することを決定した場合に、前記ワイヤレスノードは、前記観測された支援情報に相関しているメタデータを、前記ワイヤレスリンクを通して、前記遠隔ワイヤレスノードに提供する手段をさらに具備するＣ２２記載のワイヤレスノード。
［Ｃ４２］
前記ワイヤレスリンクを通して提供されたメタデータのサブセットを示す信号を、前記遠隔ワイヤレスノードから受信する手段と、前記メタデータの前記サブセットに対応する前記ターゲットコンテンツメッセージのうちの１つ以上を、前記ワイヤレスリンクを通して、前記遠隔ワイヤレスノードに提供する手段とをさらに具備するＣ４１記載のワイヤレスノード。
［Ｃ４３］
ワイヤレスノードにおける通信の方法において、
遠隔ワイヤレスノードからの観測された支援情報と情報を相関させることと、
前記相関に少なくとも部分的に基づいて、前記遠隔ワイヤレスノードが、ワイヤレスリンクを確立すべきか否かを決定することとを含む方法。
［Ｃ４４］
前記情報は、前記ワイヤレスノードに対するユーザモデルを含み、前記遠隔ワイヤレスノードが、ワイヤレスリンクを確立すべきか否かを決定することは、前記遠隔ワイヤレスノードが、前記ワイヤレスノードとの前記ワイヤレスリンクを確立すべきか否かを決定することを含むＣ４３記載の方法。
［Ｃ４５］
前記情報は、別の遠隔ワイヤレスノードからの観測された支援情報を含み、前記遠隔ワイヤレスノードが、ワイヤレスリンクを確立すべきか否かを決定することは、前記遠隔ワイヤレスノードが、前記別の遠隔ワイヤレスノードとの前記ワイヤレスリンクを確立すべきか否かを決定することを含むＣ４３記載の方法。
［Ｃ４６］
前記情報は、前記ワイヤレスノードに対するユーザモデルを含み、前記方法は、別の遠隔ワイヤレスノードからの観測された支援情報と前記情報を相関させることをさらに含み、前記遠隔ワイヤレスノードが、ワイヤレスリンクを確立すべきか否かを決定することは、前記別の遠隔ワイヤレスノードからの観測された支援情報と前記情報との前記相関に少なくとも部分的に基づいて、前記遠隔ワイヤレスノードが、前記別の遠隔ワイヤレスノードとの前記ワイヤレスリンクを確立すべきか否かを決定することを含むＣ４３記載の方法。
［Ｃ４７］
前記情報が、前記別の遠隔ワイヤレスノードからの観測された支援情報と相関している場合に、前記遠隔ワイヤレスノードからの観測された支援情報と、前記別の遠隔ワイヤレスノードからの観測された支援情報とを相関させることをさらに含み、前記遠隔ワイヤレスノードが、ワイヤレスリンクを確立すべきか否かを決定することは、前記遠隔ワイヤレスノードからの観測された支援情報と、前記別の遠隔ワイヤレスノードからの観測された支援情報との相関に少なくとも部分的に基づいて、前記遠隔ワイヤレスノードが、前記別の遠隔ワイヤレスノードとの前記ワイヤレスリンクを確立すべきか否かを決定することを含むＣ４６記載の方法。
［Ｃ４８］
前記遠隔ワイヤレスノードと別の遠隔ワイヤレスノードとの間のワイヤレスリンクをサポートすることをさらに含むＣ４３記載の方法。
［Ｃ４９］
前記遠隔ワイヤレスノードと別の遠隔ワイヤレスノードとにシグナリングして、前記遠隔ワイヤレスノードと、前記別の遠隔ワイヤレスノードとの間の前記ワイヤレスリンクを確立することをさらに含むＣ４３記載の方法。
［Ｃ５０］
前記遠隔ノードによりブロードキャストされた基準から前記支援情報を復元することをさらに含むＣ４３記載の方法。
［Ｃ５１］
前記支援情報は、前記遠隔ワイヤレスノードに対するユーザモデルの一部を含むＣ４３記載の方法。
［Ｃ５２］
相関ルールに基づいて相関メトリックを計算することと、前記計算した相関メトリックと相関しきい値とを比較することとにより、前記支援情報を相関させるＣ４３記載の方法。
［Ｃ５３］
前記支援情報から前記相関ルールを復元することをさらに含むＣ５２記載の方法。
［Ｃ５４］
前記支援情報から前記相関しきい値を復元することをさらに含むＣ５２記載の方法。
［Ｃ５５］
第１のしきい値を記憶することと、前記支援情報から第２のしきい値を復元することと、前記計算した相関メトリックと比較するための前記相関しきい値として使用するために、前記第１のしきい値および前記第２のしきい値のうちの１つを選択することとをさらに含むＣ５２記載の方法。
［Ｃ５６］
前記遠隔ワイヤレスノードと前記ワイヤレスノードとの間で前記ワイヤレスリンクが確立された場合に、前記方法は、前記情報と、前記ワイヤレスリンクを通して前記遠隔ノードから受信した追加の支援情報との間のさらなる相関に少なくとも部分的に基づいて、前記ワイヤレスリンクを維持するか否かを決定することをさらに含むＣ４３記載の方法。
［Ｃ５７］
前記情報は、前記ワイヤレスノードに対するユーザモデルを含み、前記ユーザモデルは、ユーザの人口統計と、ユーザの好みとを含むＣ４３記載の方法。
［Ｃ５８］
前記情報は、前記ワイヤレスノードに対するユーザモデルを含み、前記ユーザモデルは、キーワードを含むＣ４３記載の方法。
［Ｃ５９］
前記情報は、前記ワイヤレスノードに対するユーザモデルを含み、前記方法は、ユーザの行動に少なくとも部分的に基づいて、前記ユーザモデルを生成して維持することをさらに含むＣ４３記載の方法。
［Ｃ６０］
前記情報は、複数のターゲットコンテンツメッセージに対するメタデータを含むＣ４３記載の方法。
［Ｃ６１］
前記情報は、前記ワイヤレスノードに対するユーザモデルを含み、前記方法は、前記観測された支援情報が前記ユーザモデルと相関している場合に、前記観測された支援情報と、複数のターゲットコンテンツメッセージに対するメタデータを相関させることをさらに含み、前記遠隔ワイヤレスノードが、ワイヤレスリンクを確立すべきか否かを決定することは、前記メタデータと前記観測された支援情報との間の相関に少なくとも部分的に基づいて、前記ワイヤレスリンクを確立するか否かを決定することを含むＣ４３記載の方法。
［Ｃ６２］
前記情報は、複数のターゲットコンテンツメッセージに対するメタデータを含み、または、前記方法は、前記観測された支援情報と前記情報との相関に続いて、前記観測された支援情報と、複数のターゲットコンテンツメッセージに対するメタデータを相関させることをさらに含み、前記ワイヤレスリンクを確立することが決定された場合に、前記方法は、前記観測された支援情報に相関しているメタデータを、前記ワイヤレスリンクを通して、前記遠隔ワイヤレスノードに提供することをさらに含むＣ４３記載の方法。
［Ｃ６３］
前記ワイヤレスリンクを通して提供されたメタデータのサブセットを示す信号を、前記遠隔ワイヤレスノードから受信することと、前記メタデータの前記サブセットに対応する前記ターゲットコンテンツメッセージのうちの１つ以上を、前記ワイヤレスリンクを通して、前記遠隔ワイヤレスノードに提供することとをさらに含むＣ６２記載の方法。
［Ｃ６４］
コンピュータ読取可能媒体を具備する、ワイヤレスノードに対するコンピュータプロダクトにおいて、
前記コンピュータ読取可能媒体は、
遠隔ワイヤレスノードからの観測された支援情報と情報を相関させるための第１のコードと、
前記相関に少なくとも部分的に基づいて、前記遠隔ワイヤレスノードが、ワイヤレスリンクを確立すべきか否かを決定するための第２のコードとを含むコンピュータプロダクト。
［Ｃ６５］
前記情報は、前記ワイヤレスノードに対するユーザモデルを含み、前記第２のコードは、前記遠隔ワイヤレスノードが、前記ワイヤレスノードとの前記ワイヤレスリンクを確立すべきか否かを決定するように構成されているＣ６４記載のコンピュータプロダクト。
［Ｃ６６］
前記情報は、別の遠隔ワイヤレスノードからの観測された支援情報を含み、前記第２のコードは、前記遠隔ワイヤレスノードが、前記別の遠隔ワイヤレスノードとの前記ワイヤレスリンクを確立すべきか否かを決定するように構成されているＣ６４記載のコンピュータプロダクト。
［Ｃ６７］
前記情報は、前記ワイヤレスノードに対するユーザモデルを含み、前記コンピュータ読取可能媒体は、別の遠隔ワイヤレスノードからの観測された支援情報と前記情報を相関させるためのコードをさらに含み、前記第２のコードは、前記別の遠隔ワイヤレスノードからの観測された支援情報と前記情報との前記相関に少なくとも部分的に基づいて、前記遠隔ワイヤレスノードが、前記別の遠隔ワイヤレスノードとの前記ワイヤレスリンクを確立すべきか否かを決定するように構成されているＣ６４記載のコンピュータプロダクト。
［Ｃ６８］
前記コンピュータ読取可能媒体は、前記情報が、前記別の遠隔ワイヤレスノードからの観測された支援情報と相関している場合に、前記遠隔ワイヤレスノードからの観測された支援情報と、前記別の遠隔ワイヤレスノードからの観測された支援情報とを相関させるためのコードをさらに含み、前記第２のコードは、前記遠隔ワイヤレスノードからの観測された支援情報と、前記別の遠隔ワイヤレスノードからの観測された支援情報との相関に少なくとも部分的に基づいて、前記遠隔ワイヤレスノードが、前記別の遠隔ワイヤレスノードとの前記ワイヤレスリンクを確立すべきか否かを決定するようにさらに構成されているＣ６７記載のコンピュータプロダクト。
［Ｃ６９］
前記コンピュータ読取可能媒体は、前記遠隔ワイヤレスノードと別の遠隔ワイヤレスノードとの間のワイヤレスリンクをサポートするためのコードをさらに含むＣ６４記載のコンピュータプロダクト。
［Ｃ７０］
前記コンピュータ読取可能媒体は、前記遠隔ワイヤレスノードと別の遠隔ワイヤレスノードとにシグナリングして、前記遠隔ワイヤレスノードと、前記別の遠隔ワイヤレスノードとの間の前記ワイヤレスリンクを確立するためのコードをさらに含むＣ６４記載のコンピュータプロダクト。
［Ｃ７１］
前記コンピュータ読取可能媒体は、前記遠隔ノードによりブロードキャストされた基準から前記支援情報を復元するためのコードをさらに含むＣ６４記載のコンピュータプロダクト。
［Ｃ７２］
前記支援情報は、前記遠隔ワイヤレスノードに対するユーザモデルの一部を含むＣ６４記載のコンピュータプロダクト。
［Ｃ７３］
前記第１のコードは、相関ルールに基づいて相関メトリックを計算することと、前記計算した相関メトリックと相関しきい値とを比較することとにより、前記情報と前記支援情報を相関させるように構成されているＣ６４記載のコンピュータプロダクト。
［Ｃ７４］
前記コンピュータ読取可能媒体は、前記支援情報から前記相関ルールを復元するためのコードをさらに含むＣ７３記載のコンピュータプロダクト。
［Ｃ７５］
前記コンピュータ読取可能媒体は、前記支援情報から前記相関しきい値を復元するためのコードをさらに含むＣ７３記載のコンピュータプロダクト。
［Ｃ７６］
前記コンピュータ読取可能媒体は、第１のしきい値を記憶するためのコードと、前記支援情報から第２のしきい値を復元するためのコードと、前記計算した相関メトリックと比較するための前記相関しきい値として使用するために、前記第１のしきい値および前記第２のしきい値のうちの１つを選択するためのコードとをさらに含むＣ７３記載のコンピュータプロダクト。
［Ｃ７７］
前記遠隔ワイヤレスノードと前記ワイヤレスノードとの間で前記ワイヤレスリンクが確立された場合に、前記コンピュータ読取可能媒体は、前記情報と、前記ワイヤレスリンクを通して前記遠隔ノードから受信した追加の支援情報との間のさらなる相関に少なくとも部分的に基づいて、前記ワイヤレスリンクを維持するか否かを決定するためのコードをさらに含むＣ６４記載のコンピュータプロダクト。
［Ｃ７８］
前記情報は、前記ワイヤレスノードに対するユーザモデルを含み、前記ユーザモデルは、ユーザの人口統計と、ユーザの好みとを含むＣ６４記載のコンピュータプロダクト。
［Ｃ７９］
前記情報は、前記ワイヤレスノードに対するユーザモデルを含み、前記ユーザモデルは、キーワードを含むＣ６４記載のコンピュータプロダクト。
［Ｃ８０］
前記情報は、前記ワイヤレスノードに対するユーザモデルを含み、前記コンピュータ読取可能媒体は、ユーザの行動に少なくとも部分的に基づいて、前記ユーザモデルを生成して維持するためのコードをさらに含むＣ６４記載のコンピュータプロダクト。
［Ｃ８１］
前記情報は、複数のターゲットコンテンツメッセージに対するメタデータを含むＣ６４記載のコンピュータプロダクト。
［Ｃ８２］
前記情報は、前記ワイヤレスノードに対するユーザモデルを含み、前記コンピュータ読取可能媒体は、前記観測された支援情報が前記ユーザモデルと相関している場合に、前記観測された支援情報と、複数のターゲットコンテンツメッセージに対するメタデータとを相関させるためのコードをさらに含み、前記第２の手段は、前記メタデータと前記観測された支援情報との間の相関に少なくとも部分的に基づいて、前記ワイヤレスリンクを確立するか否かを決定するように構成されているＣ６４記載のコンピュータプロダクト。
［Ｃ８３］
前記情報は、複数のターゲットコンテンツメッセージに対するメタデータを含み、または、前記コンピュータ読取可能媒体は、前記観測された支援情報と前記情報との相関に続いて、前記観測された支援情報と、複数のターゲットコンテンツメッセージに対するメタデータとを相関させるためのコードをさらに含み、前記第２のコードが、前記ワイヤレスリンクを確立することを決定した場合に、前記コンピュータ読取可能媒体は、前記観測された支援情報に相関しているメタデータを、前記ワイヤレスリンクを通して、前記遠隔ワイヤレスノードに提供するためのコードをさらに含むＣ６４記載のコンピュータプロダクト。
［Ｃ８４］
前記コンピュータ読取可能媒体は、前記ワイヤレスリンクを通して提供されたメタデータのサブセットを示す信号を、前記遠隔ワイヤレスノードから受信するためのコードと、前記メタデータの前記サブセットに対応する前記ターゲットコンテンツメッセージのうちの１つ以上を、前記ワイヤレスリンクを通して、前記遠隔ワイヤレスノードに提供するためのコードとをさらに含むＣ８３記載のコンピュータプロダクト。
【図１】
0005639190.tif 000002
【図２】
0005639190.tif 000003
【図３Ａ】
0005639190.tif 000004
【図３Ｂ】
0005639190.tif 000005
【図４Ａ】
0005639190.tif 000006
【図４Ｂ】
0005639190.tif 000007
【図４Ｃ】
0005639190.tif 000008
【図５Ａ】
0005639190.tif 000009
【図５Ｂ】
0005639190.tif 000010
【図６】
0005639190.tif 000011
【図７】
0005639190.tif 000012
【図８】
0005639190.tif 000013
【図９】
0005639190.tif 000014
【図１０】
0005639190.tif 000015
【図１１】
0005639190.tif 000016